(57)【特許請求の範囲】
【請求項１】
時分割複信（ＴＤＤ）通信システムにおけるワイヤレス通信の方法であって、
第１の電力制御パラメータの適用に関連する第１のサブフレームタイプを識別することと、
第２の電力制御パラメータの適用に関連する第２のサブフレームタイプを識別することと、
サービングセルとネイバリングセルとのＴＤＤアップリンクダウンリンク（ＵＬ−ＤＬ）構成を決定すること、第１および第２のサブフレームタイプを前記識別することが前記サービングセルと前記ネイバリングセルとの前記ＴＤＤ  ＵＬ−ＤＬ構成に基づく、と、
前記第１または第２の電力制御パラメータに従って送信されるべき１つまたは複数のサブフレームを、前記それぞれの１つまたは複数のサブフレームの前記サブフレームタイプに基づいて識別することと、
第１の固定方向サブフレームと第２のフレキシブル方向サブフレームとについての干渉対熱雑音（ＩｏＴ）を測定することと、
前記第１の固定方向サブフレームと前記第２のフレキシブル方向サブフレームとの間のＩｏＴの差を決定すること、前記第１または第２のサブフレームタイプを前記識別することがＩｏＴの前記差に基づき、前記第１の固定方向サブフレームが、前記ＴＤＤ  ＵＬ−ＤＬ構成にかかわらずアップリンクサブフレームであるように選択される、と、
前記第１のサブフレームタイプと前記第２のサブフレームタイプとを有する前記１つまたは複数のサブフレームの指示をユーザ機器に送信することと、
を備える、方法。
【請求項２】
時分割複信（ＴＤＤ）通信システムにおけるワイヤレス通信の方法であって、
第１の電力制御パラメータの適用に関連する第１のサブフレームタイプを識別することと、
第２の電力制御パラメータの適用に関連する第２のサブフレームタイプを識別することと、
サービングセルとネイバリングセルとのＴＤＤアップリンクダウンリンク（ＵＬ−ＤＬ）構成を決定すること、第１および第２のサブフレームタイプを前記識別することが前記サービングセルと前記ネイバリングセルとの前記ＴＤＤ  ＵＬ−ＤＬ構成に基づく、と、
前記第１または第２の電力制御パラメータに従って送信されるべき１つまたは複数のサブフレームを、前記それぞれの１つまたは複数のサブフレームの前記サブフレームタイプに基づいて識別することと、
前記サービングセルにおいて、サブフレーム中のネイバリングセルからの信号がダウンリンク（ＤＬ）基準信号（ＲＳ）を含むと決定すること、前記第１または第２のサブフレームタイプを前記識別することが前記サブフレーム中の前記ＤＬ  ＲＳの存在に基づき、前記ＤＬ  ＲＳが存在するサブフレームは、前記サービングセルの対応するサブフレームがアップリンクサブフレームであるときに、前記第２のサブフレームタイプを有するものとして識別される、と、
前記第１のサブフレームタイプと前記第２のサブフレームタイプとを有する前記１つまたは複数のサブフレームの指示をユーザ機器に送信することと、
を備える、方法。
【請求項３】
前記指示が無線リソース制御（ＲＲＣ）シグナリングを介してまたは物理レイヤ制御チャネルを介して送信される、請求項１または２に記載の方法。
【請求項４】
前記指示が、前記１つまたは複数のサブフレームに関連するビットマップであり、前記１つまたは複数のサブフレームの各サブフレームが前記ビットマップの１つまたは複数のビットに関連する、請求項１または２に記載の方法。
【請求項５】
前記ビットマップの前記１つまたは複数のビットの値が、前記第１のサブフレームタイプまたは前記第２のサブフレームタイプとして前記１つまたは複数のビットに関連する前記サブフレームを示す、請求項４に記載の方法。
【請求項６】
無線リソース制御（ＲＲＣ）シグナリングを介してまたは物理レイヤ制御チャネルを介して前記ユーザ機器に前記第１または第２の電力制御パラメータのうちの１つまたは複数を送信することをさらに備える、
請求項１または２に記載の方法。
【請求項７】
前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のダウンリンクアップリンク（ＤＬ−ＵＬ）干渉を有するサブフレームに対応する、請求項１または２に記載の方法。
【請求項８】
前記第１の電力制御パラメータが前記第２の電力制御パラメータとは異なり、前記第２のサブフレームタイプが、前記第１のサブフレームタイプを有するものとして識別されない残りのサブフレームに対応する、請求項１または２に記載の方法。
【請求項９】
前記第１の電力制御パラメータが前記第１のサブフレームタイプの各サブフレームに適用され、前記第２の電力制御パラメータが、前記第２のサブフレームタイプを有するサブフレームのサブセットに適用される、請求項１または２に記載の方法。
【請求項１０】
フレーム内の前記第２の電力制御パラメータを動的に調整することをさらに備える、請求項１または２に記載の方法。
【請求項１１】
前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のアップリンクダウンリンク（ＵＬ−ＤＬ）干渉を有するサブフレームに対応し、
前記第１の電力制御パラメータが、補償されていないＵＬ送信電力を備え、前記第２の電力制御パラメータが、ＵＬ開ループ電力制御パラメータに従った前記ＵＬ送信電力に対する調整を備え、前記ＵＬ開ループ電力制御パラメータが、
ターゲット受信電力（ＰO）とセル固有補償係数（α）とを備え、
無線リソース制御（ＲＲＣ）シグナリングを介して前記サービングセルによって与えられ、
前記第２のサブフレームタイプを有する２つまたはそれ以上のサブフレームのための別個のＰOパラメータとαパラメータとを備え、
前記第１の電力制御パラメータのＰOパラメータとαパラメータとに対するオフセットを備える、請求項１または２に記載の方法。
【請求項１２】
時分割複信（ＴＤＤ）通信システムにおけるワイヤレス通信のための装置であって、
第１の電力制御パラメータの適用に関連する第１のサブフレームタイプを識別するための手段と、
第２の電力制御パラメータの適用に関連する第２のサブフレームタイプを識別するための手段と、
サービングセルとネイバリングセルとのＴＤＤアップリンクダウンリンク（ＵＬ−ＤＬ）構成を決定するための手段、第１および第２のサブフレームタイプを前記識別することが前記サービングセルと前記ネイバリングセルとの前記ＴＤＤ  ＵＬ−ＤＬ構成に基づく、と、
前記第１または第２の電力制御パラメータに従って送信されるべき１つまたは複数のサブフレームを、前記それぞれの１つまたは複数のサブフレームの前記サブフレームタイプに基づいて識別するための手段と、
第１の固定方向サブフレームと第２のフレキシブル方向サブフレームとについての干渉対熱雑音（ＩｏＴ）を測定するための手段と、
前記第１の固定方向サブフレームと前記第２のフレキシブル方向サブフレームとの間のＩｏＴの差を決定するための手段、前記第１または第２のサブフレームタイプを前記識別することがＩｏＴの前記差に基づき、前記第１の固定方向サブフレームが、前記ＴＤＤ  ＵＬ−ＤＬ構成にかかわらずアップリンクサブフレームであるように選択される、と、
前記第１のサブフレームタイプと前記第２のサブフレームタイプとを有する前記１つまたは複数のサブフレームの指示をユーザ機器に送信するための手段と、
を備える、装置。
【請求項１３】
時分割複信（ＴＤＤ）通信システムにおけるワイヤレス通信のための装置であって、
第１の電力制御パラメータの適用に関連する第１のサブフレームタイプを識別するための手段と、
第２の電力制御パラメータの適用に関連する第２のサブフレームタイプを識別するための手段と、
サービングセルとネイバリングセルとのＴＤＤアップリンクダウンリンク（ＵＬ−ＤＬ）構成を決定するための手段、第１および第２のサブフレームタイプを前記識別することが前記サービングセルと前記ネイバリングセルとの前記ＴＤＤ  ＵＬ−ＤＬ構成に基づく、と、
前記第１または第２の電力制御パラメータに従って送信されるべき１つまたは複数のサブフレームを、前記それぞれの１つまたは複数のサブフレームの前記サブフレームタイプに基づいて識別するための手段と、
前記サービングセルにおいて、サブフレーム中のネイバリングセルからの信号がダウンリンク（ＤＬ）基準信号（ＲＳ）を含むと決定するための手段、前記第１または第２のサブフレームタイプを前記識別することが前記サブフレーム中の前記ＤＬ  ＲＳの存在に基づき、前記ＤＬ  ＲＳが存在するサブフレームは、前記サービングセルの対応するサブフレームがアップリンクサブフレームであるときに、前記第２のサブフレームタイプを有するものとして識別される、と、
前記第１のサブフレームタイプと前記第２のサブフレームタイプとを有する前記１つまたは複数のサブフレームの指示をユーザ機器に送信するための手段と、
を備える、装置。
【請求項１４】
時分割複信（ＴＤＤ）ワイヤレス通信システムにおけるワイヤレス通信のためのコンピュータプログラムであって、前記コンピュータプログラムが、請求項１乃至１１の方法のうちのいずれか１つを行うためにプロセッサによって実行可能な命令を備える、コンピュータプログラム。
【発明の詳細な説明】
【技術分野】
【０００１】
相互参照
[0001]本特許出願は、本出願の譲受人に譲渡され、参照により本明細書に明確に組み込まれる、２０１３年５月１０日に出願された、「Signaling of Enhanced Power Control for eIMTA Interference Mitigation」と題する、Ｑｕａｌｃｏｍｍ  Ｉｎｃｏｒｐｏｒａｔｅｄらの国際特許出願第ＰＣＴ／ＣＮ２０１３／０７５４５２号の優先権を主張する。
【背景技術】
【０００２】
[0002]以下は、一般にワイヤレス通信に関し、より詳細には、好ましい信号送信構成を有する基地局とのワイヤレス通信を確立することに関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。さらに、いくつかのシステムは、アップリンク通信とダウンリンク通信の両方のために単一のキャリア周波数が使用される時分割複信（ＴＤＤ：time-division duplex）を使用して動作し得、いくつかのシステムは、アップリンク通信とダウンリンク通信とのために別個のキャリア周波数が使用される周波数分割複信（ＦＤＤ：frequency-division duplex）を使用して動作し得る。
【０００３】
[0003]ＴＤＤを使用して動作するシステムでは、アップリンク通信とダウンリンク通信とが非対称であり得る、異なるフォーマットが使用され得る。ＴＤＤフォーマットはデータのフレームの送信を含み、各フレームは、異なるサブフレームがアップリンクサブフレームまたはダウンリンクサブフレームであり得る、いくつかの異なるサブフレームを含む。システムのユーザに追加のアップリンクまたはダウンリンクデータ容量を与えるために、特定のシステムのデータトラフィックパターンに基づいてＴＤＤフォーマットの再構成が実装され得る。
【発明の概要】
【０００４】
[0004]説明する特徴は、一般に、時分割複信（ＴＤＤ）ワイヤレス通信システムにおける干渉緩和のための１つまたは複数の改善された方法、システム、および／または装置に関する。第１および第２のサブフレームタイプがサブフレームについて識別され得、異なる電力制御パラメータは各サブフレームタイプに関連づけられる。送信されるべき１つまたは複数のサブフレームが第１または第２のサブフレームタイプとして識別され得、それぞれの１つまたは複数のサブフレームのサブフレームタイプに関連する電力制御パラメータ従って、送信されたサブフレームに電力制御が適用され得る。サブフレームの識別と、各タイプのサブフレームに適用されるべき電力制御パラメータとは、たとえば、ユーザ機器（ＵＥ）に送信され得る。情報は、たとえば、無線リソース制御（ＲＲＣ：radio resource control）シグナリングを介してまたは物理レイヤ制御チャネルを介してＵＥに送信され得る。
【０００５】
[0005]本開示の一態様では、時分割複信（ＴＤＤ）通信システムにおけるワイヤレス通信の方法が提供される。本方法は、概して、第１の電力制御パラメータの適用に関連する第１のサブフレームタイプを識別することと、第２の電力制御パラメータの適用に関連する第２のサブフレームタイプを識別することと、第１または第２の電力制御パラメータに従って送信されるべき１つまたは複数のサブフレームを、それぞれの１つまたは複数のサブフレームのサブフレームタイプに基づいて識別することとを含む。
【０００６】
[0006]いくつかの例では、本方法はまた、第１のサブフレームタイプと第２のサブフレームタイプとを有する１つまたは複数のサブフレームの指示をユーザ機器に送信することを含み得る。指示は無線リソース制御（ＲＲＣ）シグナリングを介してまたは物理レイヤ制御チャネルを介して送信され得る。指示は、１つまたは複数のサブフレームに関連するビットマップを含み得、１つまたは複数のサブフレームの各サブフレームはビットマップの１つまたは複数のビットに関連し得る。いくつかの例では、ビットマップの１つまたは複数のビットの値は、第１のサブフレームタイプまたは第２のサブフレームタイプとして１つまたは複数のビットに関連するサブフレームを示し得る。いくつかの例では、本方法はまた、無線リソース制御（ＲＲＣ）シグナリングを介してまたは物理レイヤ制御チャネルを介してユーザ機器に第１または第２の電力制御パラメータのうちの１つまたは複数を送信することを含み得る。
【０００７】
[0007]追加または代替として、本方法は、サービングセルとネイバリングセルのＴＤＤアップリンクダウンリンク（ＵＬ−ＤＬ）構成を決定することを含み得、第１および第２のサブフレームタイプを識別することはサービングセルとネイバリングセルのＴＤＤ  ＵＬ−ＤＬ構成に基づき得る。追加または代替として、本方法は、第１の固定方向サブフレーム（fixed direction subframe）と第２のフレキシブル方向サブフレーム（flexible direction subframe)とについての干渉対熱雑音（ＩｏＴ：Interference over Thermal noise）を測定することと、第１の固定方向と第２のフレキシブル方向サブフレームとの間のＩｏＴの差を決定することとを含み得、第１または第２のサブフレームタイプを決定することはＩｏＴの差に基づき得る。第１の固定方向サブフレームは、たとえば、ＴＤＤ  ＵＬ−ＤＬ構成にかかわらずアップリンクサブフレームであるように選択され得る。いくつかの実施形態では、本方法はまた、サービングセルにおいて、サブフレーム中にネイバリングセルからの信号がダウンリンク（ＤＬ）基準信号（ＲＳ）を含むと決定することを含み得、第１または第２のサブフレームタイプを識別することはサブフレーム中のＤＬ  ＲＳの存在に基づき得る。ＤＬ  ＲＳが存在するサブフレームは、サービングセルの対応するサブフレームがアップリンクサブフレームであるときに、第２のサブフレームタイプを有するものとして識別され得る。
【０００８】
[0008]いくつかの実施形態では、第１のサブフレームタイプは、サービングセルとネイバリングセルとの間のアップリンクアップリンク（ＵＬ−ＵＬ）干渉を有するサブフレームに対応し、第２のサブフレームタイプは、サービングセルとネイバリングセルとの間のダウンリンクアップリンク（ＤＬ−ＵＬ）干渉を有するサブフレームに対応する。いくつかの実施形態によれば、第１の電力制御パラメータは第２の電力制御パラメータとは異なる。いくつかの例では、第２のサブフレームタイプは、第１のサブフレームタイプを有するものと識別されない残りのサブフレームに対応し得る。第１の電力制御パラメータは、いくつかの実施形態では、第１のサブフレームタイプの各サブフレームに適用され得、第２の電力制御パラメータは、第２のサブフレームタイプを有するサブフレームのサブセットに適用され得る。いくつかの実施形態では、本方法はまた、フレーム内の第２のアップリンク電力制御パラメータを動的に調整することを含み得る。
【０００９】
[0009]他の実施形態では、第１のサブフレームタイプは、サービングセルとネイバリングセルとの間のアップリンクアップリンク（ＵＬ−ＵＬ）干渉を有するサブフレームに対応し得、第２のサブフレームタイプは、サービングセルとネイバリングセルとの間のアップリンクダウンリンク（ＵＬ−ＤＬ）干渉を有するサブフレームに対応し得、第１の電力制御パラメータは、補償されていないＵＬ送信電力を含み得、第２の電力制御パラメータは、ＵＬ開ループ電力制御パラメータに従ったＵＬ送信電力に対する調整を含み得る。ＵＬ開ループ電力制御パラメータは、たとえば、ターゲット受信電力（ＰO）とセル固有補償係数（compensation factor）（α）とを含み得る。ＵＬ開ループ電力制御パラメータは、たとえば、無線リソース制御（ＲＲＣ）シグナリングを介してサービングセルによって与えられ得る。ＵＬ開ループ電力制御パラメータは、たとえば、第２のサブフレームタイプを有する２つまたはそれ以上のサブフレームのための別個のＰOパラメータとαパラメータとを含み、および／または第１の電力制御パラメータのＰOパラメータとαパラメータとに対するオフセットを含み得る。
【００１０】
[0010]本開示の別の態様では、時分割複信（ＴＤＤ）通信システムにおけるワイヤレス通信のための装置が提供される。本装置は、概して、第１の電力制御パラメータの適用に関連する第１のサブフレームタイプを識別するための手段と、第２の電力制御パラメータの適用に関連する第２のサブフレームタイプを識別するための手段と、第１または第２の電力制御パラメータに従って送信されるべき１つまたは複数のサブフレームを、それぞれの１つまたは複数のサブフレームのサブフレームタイプに基づいて識別するための手段とを含む。
【００１１】
[0011]本装置はまた、たとえば、第１のサブフレームタイプと第２のサブフレームタイプとを有する１つまたは複数のサブフレームの指示をユーザ機器に送信するための手段を含み得る。指示は無線リソース制御（ＲＲＣ）シグナリングを介してまたは物理レイヤ制御チャネルを介して送信され得る。指示は、１つまたは複数のサブフレームに関連するビットマップを含み得、１つまたは複数のサブフレームの各サブフレームはビットマップの１つまたは複数のビットに関連し得る。いくつかの例では、ビットマップの１つまたは複数のビットの値は、第１のサブフレームタイプまたは第２のサブフレームタイプとして１つまたは複数のビットに関連するサブフレームを示し得る。いくつかの例では、本装置はまた、無線リソース制御（ＲＲＣ）シグナリングを介してまたは物理レイヤ制御チャネルを介してユーザ機器に第１または第２の電力制御パラメータのうちの１つまたは複数を送信するための手段を含み得る。
【００１２】
[0012]いくつかの実施形態では、本装置はまた、サービングセルとネイバリングセルのＴＤＤアップリンクダウンリンク（ＵＬ−ＤＬ）構成を決定するための手段を含み得、第１および第２のサブフレームタイプの識別はサービングセルとネイバリングセルのＴＤＤ  ＵＬ−ＤＬ構成に基づき得る。他の実施態様では、本装置はまた、第１の固定方向サブフレームと第２のフレキシブル方向サブフレームとについての干渉対熱雑音（ＩｏＴ）を測定するための手段と、第１の固定方向サブフレームと第２のフレキシブル方向サブフレームとの間のＩｏＴの差を決定するための手段とを含み得、第１または第２のサブフレームタイプの決定はＩｏＴの差に基づき得る。第１の固定方向サブフレームは、たとえば、ＴＤＤ  ＵＬ−ＤＬ構成にかかわらずアップリンクサブフレームであるように選択され得る。
【００１３】
[0013]いくつかの実施形態では、本装置はまた、サービングセルにおいて、サブフレーム中にネイバリングセルからの信号がダウンリンク（ＤＬ）基準信号（ＲＳ）を含むと決定するための手段を含み得、第１または第２のサブフレームタイプの識別はサブフレーム中のＤＬ  ＲＳの存在に基づき得る。たとえば、ＤＬ  ＲＳが存在するサブフレームは、サービングセルの対応するサブフレームがアップリンクサブフレームであるときに、第２のサブフレームタイプを有するものとして識別され得る。
【００１４】
[0014]他の実施態様では、第１のサブフレームタイプは、サービングセルとネイバリングセルとの間のアップリンクアップリンク（ＵＬ−ＵＬ）干渉を有するサブフレームに対応し得、第２のサブフレームタイプは、サービングセルとネイバリングセルとの間のダウンリンクアップリンク（ＤＬ−ＵＬ）干渉を有するサブフレームに対応し得る。いくつかの実施形態では、第１の電力制御パラメータは第１のサブフレームタイプの各サブフレームに適用され得、第２の電力制御パラメータは、第２のサブフレームタイプを有するサブフレームのサブセットに適用され得る。追加または代替として、本装置は、フレーム内の第２のアップリンク電力制御パラメータを動的に調整するための手段を含み得る。
【００１５】
[0015]いくつかの実施形態では、第１のサブフレームタイプは、サービングセルとネイバリングセルとの間のアップリンクアップリンク（ＵＬ−ＵＬ）干渉を有するサブフレームに対応し得、第２のサブフレームタイプは、サービングセルとネイバリングセルとの間のアップリンクダウンリンク（ＵＬ−ＤＬ）干渉を有するサブフレームに対応し得、第１の電力制御パラメータは、補償されていないＵＬ送信電力を含み得、第２の電力制御パラメータは、ＵＬ開ループ電力制御パラメータに従ったＵＬ送信電力に対する調整を含み得る。ＵＬ開ループ電力制御パラメータは、たとえば、ターゲット受信電力（ＰO）とセル固有補償係数（α）とを含み得、それは、無線リソース制御（ＲＲＣ）シグナリングを介してサービングセルによって与えられ得る。ＵＬ開ループ電力制御パラメータは、いくつかの実施形態では、第２のサブフレームタイプを有する２つまたはそれ以上のサブフレームのための別個のＰOパラメータとαパラメータとを含み、および／または第１の電力制御パラメータのＰOパラメータとαパラメータとに対するオフセットを含み得る。
【００１６】
[0016]本開示の別の態様では、時分割複信（ＴＤＤ）ワイヤレス通信システムにおけるワイヤレス通信のための別の装置が提供される本装置は、概して、プロセッサと、プロセッサと電子通信しているメモリとを含む。メモリは、第１の電力制御パラメータの適用に関連する第１のサブフレームタイプを識別することと、第２の電力制御パラメータの適用に関連する第２のサブフレームタイプを識別することと、第１または第２の電力制御パラメータに従って送信されるべき１つまたは複数のサブフレームを、それぞれの１つまたは複数のサブフレームのサブフレームタイプに基づいて識別することとを行うためにプロセッサによって実行可能なメモリに記憶された命令を含み得る。
【００１７】
[0017]本開示の別の態様では、時分割複信（ＴＤＤ）ワイヤレス通信システムにおけるワイヤレス通信のためのコンピュータプログラム製品が提供される。本コンピュータプログラム製品は、概して、プロセッサによって実行可能な命令を記憶する非一時的コンピュータ可読媒体を含む。命令は、第１の電力制御パラメータの適用に関連する第１のサブフレームタイプを識別することと、第２の電力制御パラメータの適用に関連する第２のサブフレームタイプを識別することと、第１または第２の電力制御パラメータに従って送信されるべき１つまたは複数のサブフレームを、それぞれの１つまたは複数のサブフレームのサブフレームタイプに基づいて識別することとを行うためにプロセッサによって実行可能であり得る。
【００１８】
[0018]本開示のさらなる態様では、時分割複信（ＴＤＤ）通信システムにおけるワイヤレス通信の別の方法が提供される。本方法は、概して、ＴＤＤアップリンクダウンリンク（ＵＬ−ＤＬ）構成に関連する第１および第２のサブフレームタイプの識別を受信することと、第１のサブフレームタイプを有するものとして識別された１つまたは複数のサブフレームに第１の電力制御パラメータを適用することと、第２のサブフレームタイプを有するものとして識別された１つまたは複数のサブフレームに第２の電力制御パラメータを適用することと、１つまたは複数のサブフレームをサービング基地局に送信することとを含む。いくつかの実施形態では、識別を受信することは、無線リソース制御シグナリングにおいてフレキシブルサブフレーム（flexible subframe）の半静的（semi-static）な識別を受信すること、または、物理ダウンリンク制御チャネル（ＰＤＣＣＨ：physical downlink control channel）上で受信されたダウンリンク制御情報（ＤＣＩ：downlink control information）などの物理レイヤ制御チャネルを介したシグナリングにおいて、フレキシブルサブフレームの動的な識別を受信することを含み得る。
【００１９】
[0019]いくつかの実施形態では、第１の電力制御パラメータは、補償されていないＵＬ送信電力を含み得、第２の電力制御パラメータは、ＵＬ開ループ電力制御パラメータに従ったＵＬ送信電力に対する調整を含み得る。ＵＬ開ループ電力制御パラメータは、たとえば、ターゲット受信電力（ＰO）とセル固有補償係数（α）とを含み得る。ＵＬ開ループ電力制御パラメータは、いくつかの実施形態では、第２のサブフレームタイプを有する２つまたはそれ以上のサブフレームのための別個のＰOパラメータとαパラメータとを含み得る。
【００２０】
[0020]本開示の別の態様では、時分割複信（ＴＤＤ）通信システムにおけるワイヤレス通信のための装置が提供される。本装置は、概して、ＴＤＤアップリンクダウンリンク（ＵＬ−ＤＬ）構成に関連する第１および第２のサブフレームタイプの識別を受信するための手段と、第１のサブフレームタイプを有するものとして識別された１つまたは複数のサブフレームに第１の電力制御パラメータを適用するための手段と、第２のサブフレームタイプを有するものとして識別された１つまたは複数のサブフレームに第２の電力制御パラメータを適用するための手段と、１つまたは複数のサブフレームをサービング基地局に送信するための手段とを含む。識別を受信するための手段は、場合によっては、無線リソース制御シグナリングにおいてフレキシブルサブフレームの半静的な識別を受信すること、または、たとえば、物理ダウンリンク制御チャネル（ＰＤＣＣＨ）上で受信されたダウンリンク制御情報（ＤＣＩ）などの物理レイヤ制御チャネルを介したシグナリングにおいて、フレキシブルサブフレームの動的な識別を受信することを行うように構成され得る。
【００２１】
[0021]本開示のさらなる態様では、時分割複信（ＴＤＤ）ワイヤレス通信システムにおけるワイヤレス通信のための装置が提供される。本装置は、概して、プロセッサと、プロセッサと電子通信しているメモリとを含む。メモリは、ＴＤＤアップリンクダウンリンク（ＵＬ−ＤＬ）構成に関連する第１および第２のサブフレームタイプの識別を受信することと、第１のサブフレームタイプを有するものとして識別された１つまたは複数のサブフレームに第１の電力制御パラメータを適用することと、第２のサブフレームタイプを有するものとして識別された１つまたは複数のサブフレームに第２の電力制御パラメータを適用することと、１つまたは複数のサブフレームをサービング基地局に送信することとを行うためにプロセッサによって実行可能な命令を記憶し得る。識別は、無線リソース制御シグナリングにおけるフレキシブルサブフレームの半静的な識別であり得、または、物理レイヤ制御チャネルを介したシグナリングにおいて受信されたフレキシブルサブフレームの動的な識別であり得る。シグナリングは、たとえば、たとえば、物理ダウンリンク制御チャネル（ＰＤＣＣＨ）上で受信されたダウンリンク制御情報（ＤＣＩ）を含み得る。
【００２２】
[0022]本開示のさらなる態様では、時分割複信（ＴＤＤ）ワイヤレス通信システムにおけるワイヤレス通信のためのコンピュータプログラム製品が提供される。本コンピュータプログラム製品は、概して、ＴＤＤアップリンクダウンリンク（ＵＬ−ＤＬ）構成に関連する第１および第２のサブフレームタイプの識別を受信することと、第１のサブフレームタイプを有するものとして識別された１つまたは複数のサブフレームに第１の電力制御パラメータを適用することと、第２のサブフレームタイプを有するものとして識別された１つまたは複数のサブフレームに第２の電力制御パラメータを適用することと、１つまたは複数のサブフレームをサービング基地局に送信することとを行うためにプロセッサによって実行可能な命令を記憶する非一時的コンピュータ可読媒体を含む。識別は、無線リソース制御シグナリングにおけるフレキシブルサブフレームの半静的な識別、または物理レイヤ制御チャネルを介したシグナリングにおいて受信されたフレキシブルサブフレームの動的な識別であり得る。シグナリングは、たとえば、物理ダウンリンク制御チャネル（ＰＤＣＣＨ）上で受信されたダウンリンク制御情報（ＤＣＩ）を含み得る。
【００２３】
[0023]説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【図面の簡単な説明】
【００２４】
[0024]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図１】[0025]様々な実施形態による、ワイヤレス通信システムの一例を示す図。
【図２】[0026]様々な実施形態による、ワイヤレス通信システムにおけるＴＤＤアップリンクダウンリンク構成を示す表。
【図３】[0027]様々な実施形態による、セルがセルクラスタに従ってグループ化されたセルクラスタリング干渉緩和（Cell Clustering Interference Mitigation）環境を示す図。
【図４】[0028]様々な実施形態による、フレキシブルサブフレームをもつＴＤＤフレームの図。
【図５Ａ】[0029]様々な実施形態による、ネイバリングセルクラスタのＴＤＤフレームと、異なる送信方向および関連する異なる電力制御パラメータを有し得るサブフレームとの図。
【図５Ｂ】[0030]様々な実施形態による、ネイバリングセルクラスタのＴＤＤフレームと、異なる送信方向および関連する異なる電力制御パラメータを有し得るサブフレームとの図。
【図５Ｃ】[0031]様々な実施形態による、サブフレームグルーピングのためのビットマップの一例を示す図。
【図６】[0032]様々な実施形態による、基地局の一例のブロック図。
【図７】[0033]様々な実施形態による、基地局の別の例のブロック図。
【図８】[0034]様々な実施形態による、ユーザ機器の一例のブロック図。
【図９】[0035]様々な実施形態による、ユーザ機器と基地局との一例のブロック図。
【図１０】[0036]様々な実施形態による、ＴＤＤワイヤレス通信のための方法のフローチャート。
【図１１】[0037]様々な実施形態による、ＴＤＤワイヤレス通信のための方法のフローチャート。
【図１２】[0038]様々な実施形態による、ＴＤＤワイヤレス通信のための方法のフローチャート。
【図１３】[0039]様々な実施形態による、ＴＤＤワイヤレス通信のための方法のフローチャート。
【発明を実施するための形態】
【００２５】
[0040]本開示の様々な態様は、時分割複信（ＴＤＤ）ワイヤレス通信システムにおける干渉緩和を提供する。第１および第２のサブフレームタイプが、ワイヤレス通信システムを使用して送信されるべきＴＤＤサブフレームについて識別され得る。各サブフレームタイプに関連する異なる電力制御パラメータが、特定のサブフレームについてサービングセルおよびネイバリングセルが異なる送信方向を有し得るかどうかに基づいて識別され得る。送信されるべき１つまたは複数のＴＤＤサブフレームは第１または第２のサブフレームタイプとして識別され得、それぞれの１つまたは複数のＴＤＤサブフレームのサブフレームタイプに関連する電力制御パラメータ従って、送信されたサブフレームに電力制御が適用され得る。サブフレームの識別と、各タイプのサブフレームに適用されるべき電力制御パラメータとは、たとえば、ユーザ機器（ＵＥ）に送信され得る。情報は、たとえば、無線リソース制御（ＲＲＣ）シグナリングを介してまたは物理レイヤ制御チャネルを介してＵＥに送信され得る。
【００２６】
[0041]本明細書で説明する技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなどの様々なワイヤレス通信システムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【００２７】
[0042]ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムの例としては、モバイル通信用グローバルシステム（ＧＳＭ（登録商標）：Global System for Mobile Communications）の様々な実装形態がある。ＯＦＤＭおよび／またはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイル電気通信システム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術に使用され得る。
【００２８】
[0043]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００２９】
[0044]最初に図１を参照すると、図はワイヤレス通信システム１００の一例を示している。システム１００は、基地局（またはセル）１０５と、通信デバイス１１５と、コアネットワーク１３０とを含む。基地局１０５は、基地局コントローラ（図示せず）の制御下で通信デバイス１１５と通信し得、それは様々な実施形態ではコアネットワーク１３０または基地局１０５の一部であり得る。実施形態によれば、以下でより詳細に説明するように、再構成可能な時分割複信（ＴＤＤ）通信に従って動作するネイバリング基地局１０５のための干渉緩和が実装され得る。
【００３０】
[0045]基地局１０５は、バックホールリンク１３２を介してコアネットワーク１３０と制御情報および／またはユーザデータを通信し得る。バックホールリンクは、ワイヤードバックホールリンク（たとえば、銅、ファイバーなど）および／またはワイヤレスバックホールリンク（たとえば、マイクロ波など）であり得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３１】
[0046]基地局１０５は、１つまたは複数の基地局アンテナを介して通信デバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００３２】
[0047]システム１００は同期動作または非同期動作をサポートし得る。同期動作の場合、基地局１０５は同様のフレームタイミングを有し得、異なる基地局１０５からの送信は近似的に時間的に整合され得る。非同期動作の場合、基地局１０５は異なるフレームタイミングを有し得、異なる基地局１０５からの送信は時間的に整合されないことがある。実施形態では、いくつかの基地局１０５は同期であり得、他の基地局１０５は非同期であり得る。
【００３３】
[0048]通信デバイス１１５はシステム１００全体にわたって分散され、各デバイスは固定または移動であり得る。通信デバイス１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアント、または何らかの他の好適な用語で呼ばれることもある。通信デバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。通信デバイス１１５は、マクロ基地局、ピコ基地局、フェムト基地局、リレー基地局などと通信することが可能であり得る。
【００３４】
[0049]ネットワーク１００中に示された送信リンク１２５は、通信デバイス１１５から基地局１０５へのアップリンク（ＵＬ：uplink）送信、および／または基地局１０５から通信デバイス１１５へのダウンリンク（ＤＬ：downlink）送信を含み得る。ダウンリンク送信は順方向リンク送信と呼ばれることもあり、アップリンク送信は逆方向リンク送信と呼ばれることもある。実施形態では、送信リンク１２５は、トラフィックフレーム内の双方向トラフィックを搬送するＴＤＤキャリアである。
【００３５】
[0050]実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、概して、それぞれ基地局１０５および通信デバイス１１５について説明するために使用され得る。システム１００は、異なるタイプのｅＮＢ１０５がその中で様々な地理的領域にカバレージを与える、異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、概して、比較的小さい地理的エリアをカバーすることになり、ネットワークプロバイダのサービスに加入しているＵＥ１１５による無制限アクセスを可能にし得る。また、フェムトセルは、概して、比較的小さい地理的エリア（たとえば、自宅）をカバーすることになり、無制限のアクセスに加えて、フェムトセルとの関連を有するＵＥ１１５（たとえば、限定加入者グループ（ＣＳＧ：closed subscriber group）中のＵＥ、自宅内のユーザのためのＵＥなど）による制限アクセスも与え得る。マクロセルのためのｅＮＢ１０５はマクロｅＮＢと呼ばれることがある。ピコセルのためのｅＮＢ１０５はピコｅＮＢと呼ばれることがある。また、フェムトセルのためのｅＮＢ１０５はフェムトｅＮＢまたはホームｅＮＢと呼ばれることがある。ｅＮＢ１０５は、１つまたは複数の（たとえば、２つ、３つ、４つなどの）セルをサポートし得る。
【００３６】
[0051]ＬＴＥ／ＬＴＥ−Ａネットワークアーキテクチャによるシステム１００は、発展型パケットシステム（ＥＰＳ：Evolved Packet System）１００と呼ばれることがある。ＥＰＳ１００は、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）１３０（たとえば、コアネットワーク１３０）と、ホーム加入者サーバ（ＨＳＳ：Home Subscriber Server）と、事業者のＩＰサービスとを含み得る。ＥＰＳ１００は、他の無線アクセス技術を使用して他のアクセスネットワークと相互接続し得る。たとえば、ＥＰＳ１００は、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続し得る。ＵＥ１１５のモビリティおよび／または負荷分散をサポートするために、ＥＰＳ１００は、ソースｅＮＢ１０５とターゲットｅＮＢ１０５との間のＵＥ１１５のハンドオーバをサポートし得る。ＥＰＳ１００は、同じＲＡＴ（たとえば、他のＥ−ＵＴＲＡＮネットワーク）のｅＮＢ１０５および／または基地局間のＲＡＴ内ハンドオーバと、異なるＲＡＴ（たとえば、Ｅ−ＵＴＲＡＮ対ＣＤＭＡなど）のｅＮＢ１０５および／または基地局間のＲＡＴ間ハンドオーバとをサポートし得る。ＥＰＳ１００はパケット交換サービスを与え得るが、当業者が容易に諒解するように、本開示全体にわたって提示される様々な概念は、回線交換サービスを与えるネットワークに拡張され得る。
【００３７】
[0052]Ｅ−ＵＴＲＡＮは、ｅＮＢ１０５を含み得、ＵＥ１１５に対してユーザプレーンプロトコル終端と制御プレーンプロトコル終端とを与え得る。ｅＮＢ１０５は、Ｘ２インターフェース（たとえば、バックホールリンク１３４）を介して他のｅＮＢ１０５に接続され得る。ｅＮＢ１０５は、ＵＥ１１５にＥＰＣ１３０へのアクセスポイントを与え得る。ｅＮＢ１０５は、Ｓ１インターフェース（たとえば、バックホールリンク１３２）によってＥＰＣ１３０に接続され得る。ＥＰＣ１３０内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイとを含み得る（図示せず）。概して、ＭＭＥはベアラおよび接続管理を行い得る。すべてのユーザＩＰパケットはサービングゲートウェイを通して転送され得、サービングゲートウェイ自体はＰＤＮゲートウェイに接続され得る。ＰＤＮゲートウェイはＩＰアドレス割振りならびに他の機能をＵＥに与え得る。ＰＤＮゲートウェイはＩＰネットワークおよび／または事業者のＩＰサービスに接続され得る。これらの論理ノードは別個の物理ノードにおいて実装され得るか、あるいは１つまたは複数が単一の物理ノードにおいて組み合わせられ得る。ＩＰネットワーク／事業者のＩＰサービスは、インターネット、イントラネット、ＩＰマルチメディアサブシステム（ＩＭＳ：IP Multimedia Subsystem）、および／またはパケット交換（ＰＳ：Packet-Switched）ストリーミングサービス（ＰＳＳ：PS Streaming Service）を含み得る。
【００３８】
[0053]ＵＥ１１５は、たとえば、多入力多出力（ＭＩＭＯ：Multiple Input Multiple Output）、多地点協調（ＣｏＭＰ：Coordinated Multi-Point）、または他の方式を通して、複数のｅＮＢ１０５と共同的に通信するように構成され得る。ＭＩＭＯ技法は、複数のデータストリームを送信するためにマルチパス環境を利用するために、ｅＮＢ１０５上の複数のアンテナおよび／またはＵＥ１１５上の複数のアンテナを使用する。ＣｏＭＰは、ＵＥ１１５のための全体的な送信品質を改善し、ならびにネットワークとスペクトル利用とを増加させるために、いくつかのｅＮＢ１０５による送信および受信の動的協調ための技法を含む。概して、ＣｏＭＰ技法は、ＵＥ１１５のための制御プレーン通信とユーザプレーン通信とを協調させるために、ｅＮＢ１０５間の通信のためにバックホールリンク１３２および／または１３４を利用する。
【００３９】
[0054]様々な開示する実施形態のいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ：Hybrid ARQ）を使用し得る。制御プレーンでは、無線リソース制御（ＲＲＣ）プロトコルレイヤは、ユーザプレーンデータのために使用される、ＵＥ１１５とネットワークとの間のＲＲＣ接続の確立と構成と保守とを行い得る。物理レイヤにおいて、トランスポートチャネルは物理チャネルにマッピングされ得る。
【００４０】
[0055]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよびＳＣ−ＦＤＭＡは、システム帯域幅を、一般にトーン、ビンなどとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の（ガード帯域をもつ）対応するシステム帯域幅に対して、それぞれ、１５キロヘルツ（ＫＨｚ）のサブキャリア間隔をもつ７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【００４１】
[0056]システム１００は、キャリアアグリゲーション（ＣＡ）またはマルチキャリア動作と呼ばれることがある、複数のキャリア上での動作をサポートし得る。キャリアは、コンポーネントキャリア（ＣＣ：component carrier）、チャネルなどと呼ばれることもある。「キャリア」、「ＣＣ」、および「チャネル」という用語は、本明細書では互換的に使用されることがある。ダウンリンクのために使用されるキャリアはダウンリンクＣＣと呼ばれることがあり、アップリンクのために使用されるキャリアはアップリンクＣＣと呼ばれることがある。ＵＥ１１５は、キャリアアグリゲーションのために、複数のダウンリンクＣＣと１つまたは複数のアップリンクＣＣとで構成され得る。ｅＮＢ１０５は、１つまたは複数のダウンリンクＣＣ上でデータと制御情報とをＵＥ１１５に送信し得る。ＵＥ１１５は、１つまたは複数のアップリンクＣＣ上でデータと制御情報とをｅＮＢ１０５に送信し得る。
【００４２】
[0057]キャリアは、双方向通信ＦＤＤ（たとえば、対スペクトルリソース）、ＴＤＤ（たとえば、不対スペクトルリソース）を送信し得る。ＦＤＤのためのフレーム構造（たとえば、フレーム構造タイプ１）とＴＤＤのためのフレーム構造（たとえば、フレーム構造タイプ２）とが定義され得る。各フレーム構造は、無線フレーム長さＴf＝３０７２００・Ｔs＝１０ｍｓを有し得、それぞれ長さ１５３６００・Ｔs＝５ｍｓの２つのハーフフレームを含み得る。各ハーフフレームは、長さ３０７２０・Ｔs＝１ｍｓの５つのサブフレームを含み得る。
【００４３】
[0058]ＴＤＤフレーム構造の場合、各サブフレームはＵＬトラフィックまたはＤＬトラフィックを搬送し得、スペシャルサブフレーム（「Ｓ」）は、ＤＬ送信とＵＬ送信との間で切り替えるために使用され得る。無線フレーム内のＵＬサブフレームおよびＤＬサブフレームの割振りは、対称または非対称であり得、半静的に再構成され得る（たとえば、バックホールを介したＲＲＣメッセージなど）。スペシャルサブフレームは、何らかのＤＬトラフィックおよび／またはＵＬトラフィックを搬送し得、ＤＬトラフィックとＵＬトラフィックとの間のガード期間（ＧＰ）を含み得る。ＵＬトラフィックからＤＬトラフィックへの切替えは、スペシャルサブフレーム、またはＵＬサブフレームとＤＬサブフレームとの間のガード期間を使用せずに、ＵＥにおいてタイミングアドバンスを設定することによって達成され得る。フレーム期間（たとえば、１０ｍｓ）またはフレーム期間の１／２（たとえば、５ｍｓ）に等しい切替えポイント周期性をもつＵＬ−ＤＬ構成がサポートされ得る。たとえば、ＴＤＤフレームは１つまたは複数のスペシャルフレームを含み得、スペシャルフレーム間の期間がフレームのためのＴＤＤ  ＤＬＵＬ間切替えポイント周期性を決定し得る。ＬＴＥ／ＬＴＥ−Ａでは、表２００において表図２に示されているように、ＤＬサブフレームを４０％と９０％との間で与える７つの異なるＵＬ−ＤＬ構成が定義される。表２００に示されているように、２つの切替え周期性、すなわち、５ｍｓおよび１０ｍｓがある。５ｍｓ切替え周期性をもつ構成の場合は、フレームごとに２つのスペシャルサブフレームがあり、１０ｍｓ切替え周期性をもつ構成の場合は、フレームごとに１つのスペシャルサブフレームがある。これらの構成のうちのいくつかは対称であり、同数のアップリンクサブフレームとダウンリンクサブフレームとを有するが、いくつかは非対称であり、異なる数のアップリンクサブフレームとダウンリンクサブフレームとを有する。たとえば、４つのアップリンクサブフレームと４つのダウンリンクサブフレームとをもつＵＬ−ＤＬ構成１は対称であり、ＵＬ−ＤＬ構成５はダウンリンクスループットに有利であり、ＵＬ−ＤＬ構成０はアップリンクスループットに有利である。
【００４４】
[0059]ｅＮＢ１０５によって使用される特定のＴＤＤ  ＵＬ／ＤＬ構成は、特定のカバレージエリアについてのユーザ要件に基づき得る。たとえば、再び図１を参照すると、カバレージエリア１１０中の比較的多数のユーザが、ユーザが送信しているよりも多くのデータを受信している場合、関連するｅＮＢ１０５のためのＵＬ−ＤＬ構成は、ダウンリンクスループットに有利であるように選択され得る。同様に、カバレージアレ１１０中の比較的多数のユーザが、ユーザが受信しているよりも多くのデータを送信している場合、関連するｅＮＢ１０５のためのＵＬ−ＤＬ構成は、アップリンクスループットに有利であるように選択され得、ｅＮＢ１０５は、ＵＬ−ＤＬ構成０を使用して動作し得る。いくつかの態様では、ｅＮＢ１０５は、フレームごとにＴＤＤ  ＵＬ−ＤＬ構成を動的に再構成することが可能であり得る。そのような場合、再構成されるＵＥ１１５は、再構成メッセージを受信し、再構成されたＵＬ−ＤＬ構成を使用して後続のＴＤＤフレーム上でサブフレームを送信／受信し得る。そのような能力は、瞬時トラフィック状況に応じて、再構成されたＵＥ１１５のための比較的高速な切替えを可能にし、ＵＥ１１５とｅＮＢ１０５との間の向上したパケットスループットを与え得る。ＵＥ１１５は、たとえば、初期ＴＤＤ  ＵＬ−ＤＬ構成を使用してｅＮＢ１０５と通信していることがある。この初期ＴＤＤ  ＵＬ−ＤＬ構成は、しかしながら、後の時点において効率的なパケットスループットのために不利になり得る。たとえば、ユーザは、比較的大量のデータを受信することから比較的大量のデータを送信することに切り替わり得る。そのような状況では、アップリンク送信データとダウンリンク送信データとの比は著しい変化を有し得、その結果、以前は有利なＵＬ−ＤＬ構成が不利なＵＬ−ＤＬ構成になり得る。
【００４５】
[0060]様々な実施形態によれば、以下でさらに詳細に説明するように、ｅＮＢのＴＤＤ  ＵＬ−ＤＬ構成は、ｅＮＢにおける現在のトラフィックに基づいて動的に変更され得る。しかしながら、ＴＤＤ構成のそのような動的変化により、前のＴＤＤ  ＵＬ−ＤＬ構成を使用して動作していることがあるか、あるいは前のＴＤＤ  ＵＬ−ＤＬ構成に基づいて適用された干渉消去および／または干渉緩和技法に関連していることがある、ネイバリング基地局との追加の干渉が生じることがある。様々な実施形態によれば、１つまたは複数のネイバリングｅＮＢに対して同じ送信方向を有し得るＴＤＤサブフレームについて、第１のサブフレームタイプが識別され得る。１つまたは複数のネイバリングｅＮＢに対して異なる送信方向を有し得るＴＤＤサブフレームについて、第２のサブフレームタイプが識別され得る。サービングｅＮＢと１つまたは複数のネイバリングｅＮＢとの間の拡張干渉緩和を与えるために、各サブフレームタイプに関連する異なる電力制御パラメータが識別され得る。
【００４６】
[0061]図３は、ｅＮＢがセルクラスタに従ってグループ化されたセルクラスタリングおよび干渉緩和（ＣＣＩＭ：Cell Clustering and Interference Mitigation）システム３００の一例を示している。ＣＣＩＭシステム３００は、たとえば、図１に示されたワイヤレス通信システム１００の態様を示し得る。セルクラスタは１つまたは複数のｅＮＢを含むことができ、セルクラスタ内のｅＮＢは異なるタイプ（たとえば、マクロｅＮＢ、ピコｅＮＢ、フェムトｅＮＢなど）であり得る。図３の例に示されているように、ＣＣＩＭシステム３００は、セルクラスタ３２０−ａ、３２０−ｂ、および３２０−ｃを含む。セルクラスタ３２０−ａはｅＮＢ１０５−ａとｅＮＢ１０５−ｂとを含み得、セルクラスタ３２０−ｂはｅＮＢ１０５−ｃを含み得、セルクラスタ３２０−ｃはｅＮＢ１０５−ｄおよびｅＮＢ１０５−ｅを含み得る。セルクラスタ３２０は静的にまたは半静的に定義され得、セルクラスタ３２０中の各ｅＮＢ１０５は、それのクラスタの他のｅＮＢ１０５を認識していることがある。セルクラスタ３２０−ａ、３２０−ｂ、および／または３２０−ｃはＴＤＤキャリアを展開し得、各セルクラスタ内のＴＤＤ  ＵＬ−ＤＬ構成は同期され得る。
【００４７】
[0062]セルクラスタ内の同期ＴＤＤ  ＵＬ−ＤＬ構成のためのトラフィック適応は、クラスタのセル間のＴＤＤ  ＵＬ−ＤＬ再構成の協調によって実行され得る。（たとえば、数十フレーム程度の）半静的ＴＤＤ  ＵＬ−ＤＬ再構成は、（たとえば、Ｓ１および／またはＸ２インターフェースなどを介した）ｅＮＢの間での制御プレーンメッセージングの交換によって実行され得る。半静的なＴＤＤ  ＵＬ−ＤＬ再構成はいくつかの条件下で十分な性能を与え得るが、クラスタ内のトラフィック条件が急速に変化するとき、半静的なＴＤＤ  ＵＬ−ＤＬ再構成の結果として、クラスタ内で用いられるＴＤＤキャリアのためのＵＬＤＬ間サブフレームの準最適な割振りになり得る。いくつかの態様では、急速に変化するトラフィック状態は、特定のＵＥ１１５のためのＵＬ−ＤＬ構成が動的に再構成され得ることを可能にすることを通して適応され得る。そのような動的再構成は、制御チャネルシグナリングを介してなど、ｅＮＢ１０５からのシグナリングを介してＵＥ１１５に送信され、１つまたは複数の後続のＴＤＤフレームに適用され得る。そのような再構成は、「拡張干渉管理およびトラフィック適応」（ｅＩＭＴＡ：enhanced Interference Management and Traffic Adaptation）に従って達成され得、それは、いくつかのネットワークにおいて実装され得る。
【００４８】
[0063]そのようなネットワークでは、ｅＩＭＴＡ適合ＵＥは、ＴＤＤフレーム内の特定のサブフレームについての送信方向が変更され得ることを示す動的再構成メッセージを受信し得る。いくつかのネットワークでは、適応レートは、１０ｍｓなど、比較的高速であり、したがって、いくつかの状況では、フレームごとにＴＤＤ  ＵＬ−ＤＬ構成を変更する能力を与え得る。上述のように、セルの構成に応じて、セル間干渉が生じることがある。たとえば、引き続き図３を参照すると、セルクラスタ３２０−ｃは、いくつかのシナリオでは、（サブフレーム構成ＤＳＵＵＤＤＳＵＵＤを有する）ＴＤＤ  ＵＬ−ＤＬ構成＃１に従って動作するｅＮＢ１０５−ｄと、（サブフレーム構成ＤＳＵＤＤＤＳＵＤＤを有する）ＴＤＤ  ＵＬ−ＤＬ構成＃２に従って動作するｅＮＢ１０５−ｅとを含み得る。そのような場合、サブフレーム３および８中のｅＮＢ１０５−ｄに対するアップリンク送信は、ｅＮＢ１０５−ｅと通信しているＵＥのダウンリンク受信と干渉し得る。したがって、様々な実施形態によれば、ｅＮＢ１０５−ｄおよび１０５−ｅは、そのような干渉の可能性を低減するために、それら自体と協調し、１つまたは複数のＵＥと協調し得る。動的に再構成可能なＴＤＤ  ＵＬ−ＤＬ構成に従って動作するとき、様々な実施形態によれば、以下でより詳細に説明するように、フレーム中のＴＤＤ  ＵＬ−ＤＬ構成の動的な信頼できる決定が与えられる。
【００４９】
[0064]いくつかの実施形態では、アップリンクサブフレームは、アップリンク間（ＵＬ−ＵＬ）干渉タイプまたはダウンリンクアップリンク間（ＤＬ−ＵＬ）干渉タイプに基づいて２つのグループに分割され得、異なるグループ中のサブフレームのための異なる電力制御パラメータが干渉緩和のために適用され得る。干渉は、たとえば、３１０−ａ、３１０−ｂ、および３１０−ｃにおいて示されたｅＮＢ間干渉を含み得る。干渉はまた、たとえば、３１５−ａおよび３１５−ｂにおいて示されたＵＥ間干渉、ならびに／あるいは３２０において示されたＵＥ−ｅＮＢ干渉を含み得る。様々な実施形態によれば、ｅＮＢ１０５は、ネイバリングセル間の干渉レベルに基づいてセルクラスタ３０５に割り当てられ得る。動的に再構成可能なＴＤＤ  ＵＬ−ＤＬ構成に従って動作するとき、様々な実施形態によれば、セルクラスタ３０５内のセルは比較的高い干渉レベルを有し得、したがって、セルクラスタ内の各ｅＮＢは同じＴＤＤ  ＵＬ−ＤＬ構成に従って動作し得る。ネイバリングセルクラスタ３０５は、異なるＴＤＤ  ＵＬ−ＤＬ構成に従って動作し、１つまたは複数の干渉緩和技法を採用し得る。いくつかの実施形態では、あるセルのＴＤＤ  ＵＬ−ＤＬ構成を示すべきシグナリングが、他のセルおよび／またはＵＥに与えられ得、他のセルのＵＥおよびｅＮＢは、ＴＤＤ  ＵＬ−ＤＬ構成に応答して様々な干渉緩和技法を実行し得る。
【００５０】
[0065]いくつかの実施形態では、本開示は、ＴＤＤフレーム中のサブフレームの１つまたは複数の識別されたグループのためのＵＬ−ＤＬ構成を示すシグナリングを提供する。図４は、いくつかのサブフレームがフレキシブルサブフレームであるとして示され得るＴＤＤフレーム４０５の例４００を示し、それはＴＤＤ  ＵＬ−ＤＬ再構成に応じて送信方向を変更するように再構成され得る。この例では、フレーム４０５は、５つのフレキシブルサブフレーム４１５と、２つのダウンリンクサブフレーム４２０と、２つのスペシャルサブフレーム４２５と、１つのアップリンクサブフレーム４３０とを含む。図４に示されているような、様々な実施形態では、フレキシブルサブフレーム４１５のうちの１つまたは複数がｅＩＭＴＡ技法を介して動的に再構成され得る。いくつかの実施形態によれば、ある基地局によるＴＤＤ  ＵＬ−ＤＬ再構成のシグナリングが他のセルおよび／またはＵＥに送信され得る。他のセルにＴＤＤ構成をシグナリングする方法は、たとえば、Ｓ１および／またはＸ２インターフェースリンク上でシグナリングすることを含み得る。ＵＥへのシグナリングはまた、干渉緩和を可能にするために行われ得、それは、ＴＤＤ構成情報および／または異なる電力制御技法の適用のために識別され得る特定のサブフレームに関する情報を含み得る。
【００５１】
[0066]上述のように、いくつかの実施形態では、サブフレームは、潜在的な干渉タイプに基づいて２つのグループに分割され得る。次に図５Ａを参照しながら、サブフレームグルーピング５００の一例について説明する。この例では、セルクラスタＩは、フレームフォーマット５０５をもつＴＤＤ  ＵＬ−ＤＬ構成＃１に従って動作し得、セルクラスタＩＩは、フレームフォーマット５１０をもつＴＤＤ  ＵＬ−ＤＬ構成＃２に従って動作し得る。この例では、サブフレーム５１５はサブフレームの第１のグループにグループ化され得、図４のフレキシブルサブフレーム４１５に対応するサブフレーム５２０は、サブフレームの第２のグループにグループ化され得る。サブフレーム５２０の第２のグループ内に、セルクラスタ間のＵＬ−ＤＬ干渉の可能性があり得、サブフレームの第１のグループ内にＵＬ−ＵＬ干渉の可能性があり得る。この例では、第１のグループ５１５および第２のグループ５２０へのサブフレームの分割は、セル間のＳＩＢ１構成のバックホール交換に基づいて静的であり得る。アンカーサブフレームと呼ばれることがあるサブフレーム５１５は、アップリンクフレーム中のＵＬ−ＵＬ干渉の仮説に基づいて設定された第１の電力制御パラメータを使用して送信され得る。同様に、そのような例でのフレキシブルサブフレーム５２０は、アップリンクフレーム中のＤＬ−ＵＬ干渉の仮説に基づいて設定された第２の電力制御パラメータを使用して送信され得る。セルは、次いで、第１の電力制御パラメータの適用に関連する第１のサブフレームタイプと、第２の電力制御パラメータの適用に関連する第２のサブフレームタイプとを識別し得る。セルは、次いで、第１または第２の電力制御パラメータに従って送信されるべき１つまたは複数のＴＤＤサブフレームを、それぞれの１つまたは複数のＴＤＤサブフレームのサブフレームタイプに基づいて識別し得る。
【００５２】
[0067]述べたように、図５Ａの例などのサブフレームの分割は、静的または半静的であり得、ＳＩＢ１構成のバックホール交換を介してネイバリングセルに与えられ得る。他の実施形態では、干渉緩和を与えるために第１および第２のグループへのサブフレームの動的分割が使用され得る。次に図５Ｂを参照しながら、動的サブフレームグルーピングの例５００−ａについて説明する。この例では、セルクラスタＩは、フレームフォーマット５０５−ａをもつＴＤＤ  ＵＬ−ＤＬ構成＃１に従って動作し得、セルクラスタＩＩは、フレームフォーマット５１０−ａをもつＴＤＤ  ＵＬ−ＤＬ構成＃２に従って動作し得る。この例では、異なる送信方向を有するサブフレームのみ、すなわち、サブフレーム５２５および５３０がサブフレームの第２のグループにグループ化され、残りのサブフレーム５３５がサブフレームの第１のグループにグループ化される。したがって、この例では、サブフレーム５２５、５３０の第２のグループ内に、セルクラスタ間のＵＬ−ＤＬ干渉があり、サブフレーム５３５の第１のグループ内にＵＬ−ＵＬ干渉のみがある。この例では、第１および第２のグループへのサブフレームの分割は動的であり得、セルのためのＴＤＤ  ＵＬ−ＤＬ構成が変更されるとき、サブフレームの第１および第２のグループの識別が生じ得る。第１および第２のグループへのサブフレームの分割は、いくつかの実施形態では、セル間協調および／またはｅＮＢ−ｅＮＢ測定に基づき得る。サブフレーム５２５および５３０は、アップリンクフレーム中のＤＬ−ＵＬ干渉に基づいて設定された第２の電力制御パラメータを使用して送信され得、残りのサブフレーム５３５は、アップリンクフレーム中のＵＬ−ＵＬ干渉に基づいて設定された第１の電力制御パラメータを使用して送信され得る。
【００５３】
[0068]様々な実施形態によれば、異なるグループに属するサブフレームの識別は、いくつかの異なる方法で実行され得る。たとえば、いくつかの実施形態である、セルは、セル間のバックホール交換構成に基づいて、共通ＵＬ方向を有するサブフレームを決定し得、次いで、他のサブフレームがサブフレームの第２のグループに属すると決定し得る。他の実施形態では、セルは、ネイバリングセルの異なるサブフレームについての干渉対熱雑音（ＩｏＴ）を測定し、異なるサブフレームについてのＩｏＴの差に基づいてサブフレームの送信方向を決定し得る。ＩｏＴは、たとえば、第１の固定方向サブフレームおよび第２のフレキシブル方向サブフレームについて測定され、ＩｏＴ値の差はサブフレームの送信方向の差を示し得る。たとえば、セルは、（言及したＴＤＤ  ＵＬ−ＤＬ構成の各々においてアップリンクサブフレームであり、したがって、ＴＤＤ  ＵＬ−ＤＬ構成にかかわらずアップリンクサブフレームである）フレームのサブフレーム＃２に関してＩｏＴを測定し、１つまたは複数の他のサブフレームに関してＩｏＴを測定し得る。他のサブフレームの測定されたＩｏＴがサブフレーム＃２のＩｏＴよりも高い場合、特定のサブフレームはダウンリンクサブフレームであり、したがって、サブフレームの第２のグループに属するものとして識別されるべきであると決定され得る。いくつかの実施形態では、そのような測定は、フレキシブルサブフレームとして指定されたサブフレーム中など、所定のサブフレーム中でのみ実行され得る。またさらなる実施形態では、セルは、フレキシブルサブフレーム中のセル固有基準信号（ＣＲＳ：cell-specific reference signal）など、ダウンリンク基準信号（ＤＬ  ＲＳ）の存在に基づいてサブフレームの異なるグループを識別し得る。場合によっては、ＣＲＳはダウンリンクサブフレーム中で送信され、サービングセルのアップリンクサブフレーム中でネイバリングセルからのＣＲＳが検出された場合、サブフレームはサブフレームの第２のグループに属するものとして識別され、他のサブフレームはサブフレームの第１のグループに属するものとして識別され得る。
【００５４】
[0069]引き続き図５Ａおよび図５Ｂを参照すると、上述のように、異なる電力制御パラメータが、サブフレーム５１５、５３５の第１のグループのためと、サブフレーム５２０、５２５、５３０の第２のグループのためとに適用され得る。いくつかの実施形態では、サブフレーム５１５、５３５の第１のグループのためのＵＬ電力制御パラメータの１つのセットが適用され得、ＵＬ電力制御パラメータの別のセットがサブフレーム５２０、５２５、５３０の第２のグループに適用され得る。そのような実施形態では、第１の電力制御パラメータが第１のグループ５１５、５３５中の各サブフレームに適用され得、第２の電力制御パラメータがサブフレームの第２のグループのサブフレーム５２０、５２５、５３０の各々に適用され得る。さらなる実施形態では、第１の電力制御パラメータがサブフレーム５１５、５３５の第１のグループのために使用され得、サブフレーム依存ＵＬ電力制御パラメータがサブフレーム５２０、５２５、５３０の第２のグループのために適用され得る。サブフレームの第１および第２のグループのための電力制御パラメータは、ターゲット受信電力（ＰO）およびセル固有補償係数（α）など、開ループ電力制御（ＯＬＰＣ：open loop power control）パラメータを含み得る。いくつかの実施形態では、ＵＬ  ＯＬＰＣパラメータは、第２のサブフレームタイプを有する２つまたはそれ以上のサブフレームのための別個のＰOパラメータとαパラメータとを含み得る。
【００５５】
[0070]アップリンクフラクショナル開ループ電力制御（uplink fractional open loop power control）は、ＬＴＥ／ＬＴＥ−Ａ仕様従って次のように指定されている。
【数１】
0006599311.tif 000002
ここで、
ＰO_PUSCHは、セル固有構成要素ＰO_nominal_PUSCHとＵＥ固有構成要素ＰO_UE_PUSCHとからなり、
αは、上位レイヤによって与えられる３ビットセル固有パラメータであり、
ＭPUSCHは、モバイルがサブフレームｉ中で送信しているリソースブロックの数であり、
ＰＬはダウンリンク経路損失である。
【００５６】
[0071]いくつかの実施形態では、サブフレームの第１のグループ中にあるものとして識別されたサブフレームのために、確立された技法に従ってＵＬ  ＯＬＰＣパラメータが選択され得、サブフレームの第２のグループ中のサブフレームのために、サービングセル中のＵＥのＵＬ送信電力の電力増加が生じるようにＵＬ  ＯＬＰＣパラメータが選択され得る。そのようなＯＬＰＣパラメータは、サブフレームの第２のグループに関連するＵＬサブフレームにおいて物理ＵＬ制御チャネル（ＰＵＣＣＨ：physical UL control channel）と物理ＵＬ共有チャネル（ＰＵＳＣＨ：physical UL shared channel）との向上した性能を与え得る。したがって、電力制御パラメータの第１のセット（ＰO，α）がサブフレームの第1のタイプのために与えられ得、電力制御パラメータの第２のセット（ＰO*，α*）がサブフレームの第２のタイプのために与えられ得る。電力制御パラメータの第２のセットは、ＵＬ−ＤＬ干渉の存在から生じた増加した経路損失に基づいて決定され得、したがって、より高い送信電力をサブフレームの第２のグループ中のサブフレームに与え得る。
【００５７】
[0072]電力制御パラメータのシグナリングは、いくつかの異なる様式のいずれかで送信され得る。いくつかの実施形態では、（ＰO，α）のための既存のＲＲＣシグナリングが、サブフレーム５１５、５３５の第１のグループのために使用され得、新しいＯＬＰＣシグナリングが、サブフレーム５２０、５２５、５３０の第２のグループ中のサブフレームに与えられ得る。
【００５８】
[0073]半静的なＵＬ電力制御パラメータシグナリングを使用する実施形態では、シグナリングは、サブフレームの第２のグループのサブフレームを識別するように定義され得る。そのようなシグナリングは、たとえば、各ビットがサブフレームを表すビットマップを含み、「０」は、関連するサブフレームがサブフレームの第１のグループ中にあること示し、「１」は、関連するサブフレームがサブフレームの第２のグループ中にあることを示し得る。図５Ｃは、サブフレームグルーピング５００のためのビットマップ５５０の一例を示している。「０」ビット５５５は、サブフレーム５１５の第１のグループ中にあるサブフレームを示す。「１」ビット５６０は、サブフレーム５２０の第２のグループ中サブフレームを示す。他の例では、シグナリングは、サブフレームの第２のグループ中のサブフレームを示すためにいくつかのビットの送信を含み得る。たとえば、サブフレームの第２のグループ中のサブフレームの８つの利用可能なセットをマッピングするために、３ビットインジケータが使用され得る。ビットマップまたはビットの送信は、たとえば、ＲＲＣシグナリング中で、または、ＰＤＣＣＨなど、物理レイヤ制御チャネル中で定義され得る。
【００５９】
[0074]電力制御パラメータのシグナリングは、上述のように、サブフレームの第２のグループのためのＯＬＰＣパラメータの第２のセットを含み得る。いくつかの実施形態では、ＲＲＣシグナリング中で送信され、サブフレームの第２のグループのために使用され得る、絶対（ＰO，α）値の第２のペア、すなわち（ＰO*，α*）が与えられ得る。他の実施形態では、既存（ＰO，α）値に対するオフセットが、サブフレームの第２のグループへの適用のために与えられ、ＲＲＣシグナリング中で送信され得る。そのような実施形態では、セルのｅＮＢは、ＲＲＣシグナリングを介してサブフレームの第２のグループのためのＵＬ  ＯＬＰＣパラメータを半静的に変更し得る。
【００６０】
[0075]他の実施形態では、ＵＬ  ＯＬＰＣパラメータが、サブフレームの第２のグループの特定のサブフレームへの適用のために動的に与えられ得る。ＯＬＰＣパラメータについて絶対値が与えられる実施形態では、そのようなパラメータは、いくつかの異なる様式のうちの１つでシグナリングされ得る。いくつかの例では、（ＰO*，α*）のいずれのペアが使用されるか示すためにマッピングされ得るｌｏｇ2（Ｎ）ビットとともに、（ＰO*，α*）値のいくつかのペアが定義され得る。他の例では、いくつかのビットがシグナリングされ、（ＰO*，α*）絶対値の新しいペアを示すように異なるビット値がマッピングされ得る。各場合において、サブフレームの第２のグループ中の異なるサブフレームについて、ＰO*、またはα*、あるいはＰO*とα*の両方は異なり得る。既存（ＰO，α）値に対するオフセットが使用される実施形態では、いくつかの異なるオフセット値が定義され、たとえば、いずれのオフセットが使用されるか示すためにＭビットが異なるオフセットにマッピングされ得る。そのようなオフセットは、たとえば、ＰOオフセット、αオフセット、またはＰOとαとの共同要件を含み得る。絶対またはオフセット（ＰO，α）値のシグナリングビットは、ＰＤＣＣＨシグナリングなど、物理レイヤシグナリングを使用して送信され得る。そのようなシグナリングは、ほんの数例を挙げると、ＤＬ許可ＤＣＩフォーマット（たとえばＤＣＩ  １Ｃ）中に新しいビットを追加することを介した、または新しいＤＣＩフォーマットの定義を介した、ダウンリンク制御情報フォーマット０（ＤＣＩ  ０）中に新しいビットを追加すること、または、送信電力制御（ＴＰＣ：transmit power control）コマンドの拡張を含み得る。そのような方法で、ｅＮＢは、様々な実施形態によれば、物理レイヤシグナリングを介してサブフレームの第２のグループのためのＵＬ電力制御パラメータを動的に変更し得る。
【００６１】
[0076]いくつかの実施形態では、ＯＬＰＣパラメータへの調整が、セルエッジにおけるＵＥの送信電力をあまりにも大きく低下させ得る。そのような場合、あまりに著しい送信電力低減を回避するために、いくつかの実施形態は次のような送信電力（Ｐｔｘ）を与える。
【数２】
0006599311.tif 000003
ここで、（ＰO，α）はサブフレームグループ１のためのＯＬＰＣパラメータであり、（ＰO，*α*）はサブフレームグループ２のためのＯＬＰＣパラメータである。
【００６２】
[0077]したがって、本開示の様々な態様によれば、サブフレームのグループの識別と、異なる初期ＴＤＤ  ＵＬ−ＤＬ構成に従ってサブフレームのグループに適用され得る電力制御パラメータとを介して、ｅＩＭＴＡシステムにおける干渉緩和および動的リソース割振りが与えられ得る。
【００６３】
[0078]図６は、様々な実施形態による、干渉緩和を与え得るネットワークエンティティデバイス６００のブロック図を示す。ネットワークエンティティデバイス６００は、図１に示されたシステム１００または図３のシステム３００のｅＮＢ１０５、ＵＥ１１５、コアネットワーク１３０、または他のデバイスの一部分であり得る。デバイス６００は、１つまたは複数のセルのＴＤＤ  ＵＬ−ＤＬ構成に関係する１つまたは複数の指示を受信し得る受信機６０５を含む。干渉緩和モジュール６１０は、ＴＤＤ  ＵＬ−ＤＬ構成に基づいて与えられるべき干渉緩和を決定し得る。たとえば、干渉緩和モジュール６１０は、それに適用される第１または第２の電力制御パラメータを有すべきであるサブフレームの第１および第２のタイプを識別し得る。干渉緩和モジュール６１０はまた、いくつかの実施形態では、ワイヤレス通信システムを使用して送信されるべきであるサブフレームに適用されるべきである１つまたは複数の電力制御パラメータを決定し得る。送信機６１５は、ワイヤレス通信システムにおけるサブフレームの送信において使用するための干渉緩和情報を送信し得る。
【００６４】
[0079]図７は、ＴＤＤ  ＵＬ−ＤＬ構成の再構成に基づく干渉緩和のために構成され得る通信システム７００のブロック図を示す。このシステム７００は、図１に示されたシステム１００、または図３のシステム３００の態様の一例であり得る。基地局１０５−ｆは、図１または図３のｅＮＢ１０５の一例であり得、または、図６のデバイス６００の一例であり得る。システム７００は基地局１０５−ｆを含み得る。基地局１０５−ｆは、（１つまたは複数の）アンテナ７５０と、トランシーバモジュール７５５と、メモリ７７０と、プロセッサモジュール７６０とを含み得、その各々は、（たとえば、１つまたは複数のバス７８０を介して）互いと直接または間接的に通信していることがある。トランシーバモジュール７５５は、（１つまたは複数の）アンテナ７５０を介してＵＥ１１５−ａ、１１５−ｂと双方向に通信するように構成され得る。トランシーバモジュール７５５（および／または基地局１０５−ｆの他の構成要素）はまた、１つまたは複数のネットワークと双方向に通信するように構成され得る。場合によっては、基地局１０５−ｆは、ネットワーク通信モジュール７６５を通してコアネットワーク１３０−ａと通信し得る。基地局１０５−ｆは、ｅノードＢ基地局、ホームｅノードＢ基地局、ノードＢ基地局、および／またはホームノードＢ基地局の一例であり得る。
【００６５】
[0080]基地局１０５−ｆはまた、基地局１０５−ｍおよび基地局１０５−ｎなど、他の基地局と通信し得る。場合によっては、基地局１０５−ｆは、基地局通信モジュール７１５を利用して１０５−ｍおよび／または１０５−ｎなどの他の基地局と通信し得る。いくつかの実施形態では、基地局通信モジュール７１５は、基地局１０５のうちのいくつかとの間の通信を行うために、ＬＴＥワイヤレス通信技術内のＸ２インターフェースを与え得る。いくつかの実施形態では、基地局１０５−ｆは、コアネットワーク１３０−ａを通して他の基地局と通信し得る。
【００６６】
[0081]メモリ７７０は、ランダムアクセスメモリ（ＲＡＭ）と読取り専用メモリ（ＲＯＭ）とを含み得る。メモリ７７０はまた、実行されるとプロセッサモジュール７６０に本明細書で説明する様々な機能（たとえば、ＴＤＤ  ＵＬ−ＤＬ再構成、干渉緩和、電力制御パラメータ決定など）を実行させるように構成された命令を含んでいるコンピュータ可読、コンピュータ実行可能ソフトウェアコード７７５を記憶し得る。代替的に、コンピュータ実行可能ソフトウェアコード７７５は、プロセッサモジュール７６０によって直接的に実行可能でないことがあるが、たとえば、コンパイルされ実行されると、プロセッサに本明細書で説明する機能を実行させるように構成され得る。
【００６７】
[0082]プロセッサモジュール７６０は、インテリジェントハードウェアデバイス、たとえば、中央処理ユニット（ＣＰＵ）、マイクロコントローラ、特定用途向け集積回路（ＡＳＩＣ）などを含み得る。（１つまたは複数の）トランシーバモジュール７５５は、パケットを変調し、変調されたパケットを送信のために（１つまたは複数の）アンテナ７５０に与え、（１つまたは複数の）アンテナ７５０から受信されたパケットを復調するように構成されたモデムを含み得る。基地局１０５−ｆのいくつかの例は単一のアンテナ７５０を含み得るが、基地局１０５−ｆは、キャリアアグリゲーションをサポートし得る複数のリンクのための複数のアンテナ７５０を含み得る。たとえば、ＵＥ１１５−ａ、１１５−ｂとのマクロ通信をサポートするために１つまたは複数のリンクが使用され得る。
【００６８】
[0083]図７のアーキテクチャによれば、基地局１０５−ｆは通信管理モジュール７４５をさらに含み得る。通信管理モジュール７４５は他の基地局１０５との通信を管理し得る。例として、通信管理モジュール７４５は、バス７８０を介して基地局１０５−ｆの他の構成要素の一部または全部と通信している基地局１０５−ｆの構成要素であり得る。代替的に、通信管理モジュール７４５の機能は、トランシーバモジュール７５５の構成要素として、コンピュータプログラム製品として、および／またはプロセッサモジュール７６０の１つまたは複数のコントローラ要素として実装され得る。
【００６９】
[0084]いくつかの実施形態では、基地局１０５−ｆは、基地局１０５−ｆと通信している様々なＵＥのためのＴＤＤ  ＵＬ−ＤＬ構成を決定し得るＴＤＤ  ＵＬ−ＤＬ構成選択モジュールを含む。干渉緩和モジュール７２５は、上記で説明したような干渉緩和技法を実行し得る。図７の例では、干渉緩和モジュール７２５は、干渉緩和のために適用すべき電力制御パラメータを決定する際に使用するサブフレームタイプを識別し得る、サブフレームタイプ識別モジュール７３０を含む。上記で説明したように、他の基地局からのシグナリングを介して、ならびに／あるいは、たとえば、ＩｏＴ測定またはＣＲＳ検出などを通した送信方向の決定を介して、サブフレームタイプが識別され得る。電力制御パラメータモジュール７３５は、同様に上記で説明したように、サブフレームの第１のタイプおよび／または第２のタイプへの適用のための電力制御パラメータを決定し得る。電力制御送信モジュール７４０は、１つまたは複数のＵＥ１１５−ａ、１１５−ｂに、電力制御パラメータおよび／またはサブフレームタイプおよびサブフレームグループに関係する情報を与え得る。ＵＥ１１５−ａ、１１５−ｂは電力制御パラメータに従って動作し得、したがって、ネイバリング基地局との間のＴＤＤ  ＵＬ−ＤＬ構成差から生じ得るシステムにおける干渉が緩和され得る。
【００７０】
[0085]いくつかの例によれば、基地局は、ＵＥおよび１つまたは複数のネイバリング基地局に関連するＴＤＤ  ＵＬ−ＤＬ構成および再構成を決定し、また、ＵＥが基地局との通信のために使用すべき干渉緩和に関係する情報を送信し得る。ＵＥは、この情報を受信し、基地局によって示されるように通信を実行することになる。次に図８を参照すると、異なるＴＤＤ  ＵＬ−ＤＬ構成のための干渉緩和を実行する例示的なワイヤレス通信システム８００が示されている。システム８００は、１つまたは複数のワイヤレスネットワークへのアクセスを受信するために基地局１０５−ｇと通信し得るＵＥ１１５−ｃを含み、図１のシステム１００、図３のシステム３００、または図７のシステム７００の態様の一例であり得る。ＵＥ１１５−ｃは、図１、図３、または図７のＵＥ１１５の一例であり得、または、図６のデバイス６００の一例であり得る。ＵＥ１１５−ｃは、（１つまたは複数の）受信機モジュール８１０と（１つまたは複数の）送信機モジュール８１５とに通信可能に結合された（１つまたは複数の）アンテナ８０５を含み、受信機モジュール８１０と送信機モジュール８１５とは制御モジュール８２０に通信可能に結合される。制御モジュール８２０は、（１つまたは複数の）プロセッサモジュール８２５と、コンピュータ実行可能ソフトウェアコード８３５を含み得るメモリ８３０と、電力制御モジュール８４０とを含む。コンピュータ実行可能ソフトウェアコード８３５は、プロセッサモジュール８２５および／または電力制御モジュール８４０による実行のためのものであり得る。
【００７１】
[0086]（１つまたは複数の）プロセッサモジュール８２５は、インテリジェントハードウェアデバイス、たとえば、中央処理ユニット（ＣＰＵ）、マイクロコントローラ、特定用途向け集積回路（ＡＳＩＣ）などを含み得る。メモリ８３０は、ランダムアクセスメモリ（ＲＡＭ）と読取り専用メモリ（ＲＯＭ）とを含み得る。メモリ８３０は、実行されると（またはコンパイルされ、実行されると）プロセッサモジュール８２５および／または電力管理モジュール８４０に本明細書で説明する様々な機能を実行させるように構成された命令を含んでいるコンピュータ可読、コンピュータ実行可能ソフトウェアコード８３５を記憶し得る。電力制御モジュール８４０は、（１つまたは複数の）プロセッサモジュール８２５の一部として実装され得るか、あるいは、たとえば、１つまたは複数の別個のＣＰＵまたはＡＳＩＣを使用して実装され得る。（１つまたは複数の）送信機モジュール８１５は、上記で説明したように、１つまたは複数のワイヤレス通信ネットワーク（たとえば、Ｅ−ＵＴＲＡＮ、ＵＴＲＡＮなど）との通信を確立するために基地局１０５−ｇ（および／または他の基地局）に送信し得る。（１つまたは複数の）送信機モジュールによって使用される送信電力は、電力制御モジュール８４０によって与えられた電力制御パラメータに基づき得る。電力制御モジュール８４０は、基地局１０５−ｇからサブフレームタイプと電力制御パラメータとを受信し、上記で説明したような、特定のサブフレーム構成にマッピングされたビットマップまたは構成の他の指示の受信などに基づく、サブフレームのタイプと関連する電力制御パラメータとに基づいて、ＴＤＤサブフレームのための電力制御パラメータを変更するように構成され得る。ＯＬＰＣパラメータ、ＯＬＰＣに対するオフセットおよび／または上記で説明したような他の情報を含み得る識別された電力制御パラメータに基づいて、電力制御が実行され得る。（１つまたは複数の）受信機モジュール８１０は、上記で説明したような、基地局１０５−ｇ（および／または他の基地局）からダウンリンク送信を受信し得る。ダウンリンク送信はユーザ機器１１５−ｃにおいて受信され、処理される。ＵＥ１１５−ｃの構成要素は、個別にまたは集合的に、ハードウェア中の適用可能な機能の一部または全部を実行するために適応された１つまたは複数の特定用途向け集積回路（ＡＳＩＣ）を用いて実装され得る。言及したモジュールの各々は、ＵＥ１１５−ｃの動作に関係する１つまたは複数の機能を実行するための手段であり得る。
【００７２】
[0087]図９は、基地局１０５−ｈとＵＥ１１５−ｄとを含むシステム９００のブロック図である。このシステム９００は、図１のシステム１００、図３のシステム３００、図８のシステム８００、および／または図１０のシステム１０００の一例であり得る。基地局１０５−ｈは、アンテナ９３４−ａ〜９３４−ｘを装備し得、ＵＥ１１５−ｄは、アンテナ９５２−ａ〜９５２−ｎを装備し得る。基地局１０５−ｈにおいて、送信プロセッサ９２０がデータソースからデータを受信し得る。
【００７３】
[0088]送信プロセッサ９２０はデータを処理し得る。送信プロセッサ９２０はまた、基準シンボルとセル固有基準信号とを生成し得る。送信（ＴＸ）ＭＩＭＯプロセッサ９３０が、適用可能な場合、データシンボル、制御シンボル、および／または基準シンボルに対して空間処理（たとえば、プリコーディング）を実行し得、出力シンボルストリームを送信変調器９３２−ａ〜９３２−ｘに与え得る。各変調器９３２は、出力サンプルストリームを取得するために、（たとえば、ＯＦＤＭなどのために）それぞれの出力シンボルストリームを処理し得る。各変調器９３２はさらに、ダウンリンク（ＤＬ）信号を取得するために、出力サンプルストリームを処理（たとえば、アナログへの変換、増幅、フィルタ処理、およびアップコンバート）し得る。一例では、変調器９３２−ａ〜９３２−ｘからのＤＬ信号は、それぞれ、特定のＴＤＤアップリンク／ダウンリンク構成に従って、アンテナ９３４−ａ〜９３４−ｘを介して送信され得る。
【００７４】
[0089]ＵＥ１１５−ｄにおいて、モバイルデバイスアンテナ９５２−ａ〜９５２−ｎが、基地局１０５−ｈから特定のＴＤＤアップリンク／ダウンリンク構成に従ってＤＬ信号を受信し得、受信信号をそれぞれ復調器９５４−ａ〜９５４−ｎに与え得る。各復調器９５４は、入力サンプルを取得するために、それぞれの受信信号を調整（たとえば、フィルタ処理、増幅、ダウンコンバート、およびデジタル化）し得る。各復調器９５４はさらに、受信シンボルを取得するために、（たとえば、ＯＦＤＭなどのために）入力サンプルを処理し得る。ＭＩＭＯ検出器９５６が、すべての復調器９５４−ａ〜９５４−ｎから受信シンボルを取得し、適用可能な場合は受信シンボルに対してＭＩＭＯ検出を実施し、検出されたシンボルを与え得る。受信プロセッサ９５８が、検出されたシンボルを処理（たとえば、復調、デインターリーブ、および復号）し、ＵＥ１１５−ｄのための復号されたデータをデータ出力に与え、復号された制御情報をプロセッサ９８０、またはメモリ９８２に与え得る。プロセッサ９８０は、上記で説明したような、異なるＴＤＤ  ＵＬ−ＤＬ構成を有し得るネイバリングセルに干渉緩和を与えるために、識別されたサブフレームの異なるグループのための電力制御パラメータの適用を介して電力制御を実行し得る、電力制御モジュール８４０−ａに結合され得る。
【００７５】
[0090]アップリンク（ＵＬ）上で、ＵＥ１１５−ｄにおいて、送信プロセッサ９６４が、データソースからデータを受信し、処理し得る。送信プロセッサ９６４はまた、基準信号のための基準シンボルを生成し得る。送信プロセッサ９６４からのシンボルは、適用可能な場合は送信ＭＩＭＯプロセッサ９６６によってプリコードされ、さらに（たとえば、ＳＣ−ＦＤＭＡなどのために）復調器９５４−ａ〜９５４−ｎによって処理され、基地局１０５−ｈから受信した送信パラメータと、電力制御モジュール８４０−ａによって与えられた電力制御パラメータとに従って基地局１０５−ｈに送信され得る。基地局１０５−ｈにおいて、ＵＥ１１５−ｄからのＵＬ信号がアンテナ９３４によって受信され、変調器９３２によって処理され、適用可能な場合はＭＩＭＯ検出器９３６によって検出され、受信プロセッサ９３８によってさらに処理され得る。受信プロセッサ９３８は、復号されたデータをデータ出力とプロセッサ９４０とに与え得る。メモリ９４２はプロセッサ９４０に結合され得る。プロセッサ９４０は、現在のＴＤＤ  ＵＬ／ＤＬ構成に従ってフレームフォーマッティングを実行し得る。干渉緩和モジュール７２５−ａは、いくつかの実施形態では、サブフレームの送信中に存在し得る干渉のタイプに従ってサブフレームのグループを識別し得、上記で説明したような、サブフレームの異なるグループに適用すべき電力制御パラメータを識別し得る。同様に上記で説明されたように、システム９００は複数のコンポーネントキャリア上での動作をサポートし得、コンポーネントキャリアの各々は、基地局１０５−ｈとＵＥ１１５−ｄとの間で送信される異なる周波数の波形信号を含む。複数のコンポーネントキャリアは、ＵＥ１１５−ｄと基地局１０５−ｈとの間のアップリンクおよびダウンリンク送信を搬送し得、基地局１０５−ｈは、異なるＴＤＤ構成をそれぞれ有し得る複数のコンポーネントキャリア上での動作をサポートし得る。ＵＥ１１５−ｄの構成要素は、個別にまたは集合的に、ハードウェア中の適用可能な機能の一部または全部を実施するように適応された１つまたは複数の特定用途向け集積回路（ＡＳＩＣ）を用いて実装され得る。言及したモジュールの各々は、システム９００の動作に関係する１つまたは複数の機能を実施するための手段であり得る。同様に、基地局１０５−ｈの構成要素は、個別にまたは集合的に、ハードウェア中の適用可能な機能の一部または全部を実行するように適応された１つまたは複数の特定用途向け集積回路（ＡＳＩＣ）を用いて実装され得る。言及した構成要素の各々は、システム９００の動作に関係する１つまたは複数の機能を実施するための手段であり得る。
【００７６】
[0091]図１０は、様々な実施形態による、ＵＥ、基地局、またはワイヤレス通信システムにおける他のエンティティによって実行され得る方法１０００を示している。方法１０００は、たとえば、図１、図３、図７、図８、または図９のＵＥまたは基地局、または図６のデバイス６００によって、またはこれらの図に関して説明したデバイスの任意の組合せを使用して実行され得る。最初に、ブロック１００５において、第１の電力制御パラメータの適用に関連する第１のサブフレームタイプを識別する。ブロック１０１０において、第２の電力制御パラメータの適用に関連する第２のサブフレームタイプを識別する。最後に、ブロック１０１５において、第１または第２の電力制御パラメータに従って送信されるべき１つまたは複数のＴＤＤサブフレームを、それぞれの１つまたは複数のＴＤＤサブフレームのサブフレームタイプに基づいて識別する。ＴＤＤサブフレームは識別され得、様々な例に関して上記で説明したように電力制御パラメータ適用される。
【００７７】
[0092]図１１は、様々な実施形態による、ワイヤレス通信システムにおいて基地局、または他のエンティティによって実行され得る方法１１００を示している。方法１１００は、たとえば、図１、図３、図７、図８、または図９の基地局またはコアネットワーク構成要素、または図６のデバイス６００によって、またはこれらの図に関して説明したデバイスの任意の組合せを使用して実行され得る。最初に、ブロック１１０５において、第１の電力制御パラメータの適用に関連する第１のサブフレームタイプを識別する。ブロック１１１０において、第２の電力制御パラメータの適用に関連する第２のサブフレームタイプを識別する。ブロック１１１５において、第１または第２の電力制御パラメータに従って送信されるべき１つまたは複数のＴＤＤサブフレームを、それぞれの１つまたは複数のＴＤＤサブフレームのサブフレームタイプに基づいて識別する。最後に、第１のサブフレームタイプと第２のサブフレームタイプとを有するサブフレームの指示をユーザ機器に送信するＴＤＤサブフレームは識別され得、様々な例に関して上記で説明したように電力制御パラメータが適用される。
【００７８】
[0093]図１２は、様々な実施形態による、ワイヤレス通信システムにおいて基地局、または他のエンティティによって実行され得る方法１２００を示している。方法１２００は、たとえば、図１、図３、図７、図８、または図９の基地局またはコアネットワーク構成要素、または図６のデバイス６００によって、またはこれらの図に関して説明したデバイスの任意の組合せを使用して実行され得る。最初に、ブロック１２０５において、サービングセルとネイバリングセルとのＴＤＤ  ＵＬ−ＤＬ構成を決定する。ＴＤＤ  ＵＬ−ＤＬ構成は、たとえば、バックホールリンクを通して構成の指示を受信することによって、および／または、上記で説明したような、ネイバリングセルの送信を評価することによって決定され得る。ブロック１２１０において、第１および第２の電力制御パラメータの適用にそれぞれ関連する第１および第２のサブフレームタイプを識別する。ブロック１２１５において、第１または第２の電力制御パラメータに従って送信されるべき１つまたは複数のＴＤＤサブフレームを、それぞれの１つまたは複数のＴＤＤサブフレームのサブフレームタイプに基づいて識別する。最後に、第１のサブフレームタイプと第２のサブフレームタイプとを有するサブフレームの指示をユーザ機器に送信するＴＤＤサブフレームは識別され得、様々な例に関して上記で説明したように電力制御パラメータが適用される。
【００７９】
[0094]図１３は、様々な実施形態による、ワイヤレス通信システムにおいてＵＥによって実行され得る方法１３００を示している。方法１３００は、たとえば、図１、図３、図７、図８、または図９のＵＥ、または図６のデバイス６００によって、またはこれらの図に関して説明したデバイスの任意の組合せを使用して実行され得る。最初に、ブロック１３０５において、ＴＤＤ  ＵＬ−ＤＬ構成に関連する第１および第２のサブフレームタイプを識別するシグナリングを受信する。シグナリングは、たとえば、無線リソース制御シグナリングにおけるフレキシブルサブフレームの半静的な識別、または物理レイヤ制御チャネルシグナリングにおけるフレキシブルサブフレームの動的な識別を含み得る。いくつかの例では、シグナリングは、物理ダウンリンク制御チャネル（ＰＤＣＣＨ）上で受信されたダウンリンク制御情報（ＤＣＩ）を含み得る。ブロック１３１０において、シグナリングに基づいて１つまたは複数のＴＤＤサブフレームに第１または第２の電力制御パラメータを適用する。第１の電力制御パラメータは、たとえば、補償されていないＵＬ送信電力を含み得、第２の電力制御パラメータは、たとえば、ターゲット受信電力（ＰO）およびセル固有補償係数（α）などのＵＬ開ループ電力制御パラメータに従ったＵＬ送信電力に対する調整を含み得る。場合によっては、ＯＬＰＣパラメータは、第２のサブフレームタイプを有する２つまたはそれ以上のサブフレームのための別個のＰOパラメータとαパラメータとを含み得る。最終的に、ブロック１３１５において、１つまたは複数のＴＤＤサブフレームをサービング基地局に送信する。
【００８０】
[0095]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を提供する目的で、具体的な詳細を含む。しかしながら、これらの技法は、これらの具体的な詳細なしに実施され得る。いくつかの事例では、説明した実施形態の概念を不明瞭にすることを回避するために、よく知られている構造およびデバイスがブロック図の形式で示されている。
【００８１】
[0096]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８２】
[0097]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００８３】
[0098]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００８４】
[0099]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気ストレージデバイス、あるいは命令またはデータ構造の形態の所望のプログラムコード手段を搬送または記憶するために使用され得、汎用または専用コンピュータあるいは汎用または専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、一方ディスク（disc）は、データをレーザーで光学的に再生する。上記の組合せもコンピュータ可読媒体の範囲内に含まれる。
【００８５】
[0100]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についてのいかなる優先をも暗示することはなく、または要求することもない。したがって、本開示は、本明細書で説明した例および設計に限定されるべきでなく、本明細書で開示する原理および新規の特徴に合致する最も広い範囲を与えられるべきである。
以下に、出願当初の特許請求の範囲に記載された発明を付記する。
［Ｃ１］時分割複信（ＴＤＤ）通信システムにおけるワイヤレス通信の方法であって、
第１の電力制御パラメータの適用に関連する第１のサブフレームタイプを識別することと、
第２の電力制御パラメータの適用に関連する第２のサブフレームタイプを識別することと、
前記第１または第２の電力制御パラメータに従って送信されるべき１つまたは複数のサブフレームを、前記それぞれの１つまたは複数のサブフレームの前記サブフレームタイプに基づいて識別することと、
を備える、方法。
［Ｃ２］前記第１のサブフレームタイプと前記第２のサブフレームタイプとを有する前記１つまたは複数のサブフレームの指示をユーザ機器に送信すること
をさらに備える、Ｃ１に記載の方法。
［Ｃ３］前記指示が無線リソース制御（ＲＲＣ）シグナリングを介してまたは物理レイヤ制御チャネルを介して送信される、Ｃ２に記載の方法。
［Ｃ４］前記指示が、前記１つまたは複数のサブフレームに関連するビットマップであり、前記１つまたは複数のサブフレームの各サブフレームが前記ビットマップの１つまたは複数のビットに関連する、Ｃ２に記載の方法。
［Ｃ５］前記ビットマップの前記１つまたは複数のビットの値が、前記第１のサブフレームタイプまたは前記第２のサブフレームタイプとして前記１つまたは複数のビットに関連する前記サブフレームを示す、Ｃ４に記載の方法。
［Ｃ６］無線リソース制御（ＲＲＣ）シグナリングを介してまたは物理レイヤ制御チャネルを介して前記ユーザ機器に前記第１または第２の電力制御パラメータのうちの１つまたは複数を送信することをさらに備える、Ｃ２に記載の方法。
［Ｃ７］サービングセルとネイバリングセルとのＴＤＤアップリンクダウンリンク（ＵＬ−ＤＬ）構成を決定すること、
をさらに備え、
第１および第２のサブフレームタイプを前記識別することが前記サービングセルと前記ネイバリングセルとの前記ＴＤＤ  ＵＬ−ＤＬ構成に基づく、
Ｃ１に記載の方法。
［Ｃ８］第１の固定方向サブフレームと第２のフレキシブル方向サブフレームとについての干渉対熱雑音（ＩｏＴ）を測定することと、
前記第１の固定方向サブフレームと前記第２のフレキシブル方向サブフレームとの間のＩｏＴの差を決定することと、
をさらに備え、
前記第１または第２のサブフレームタイプを前記決定することがＩｏＴの前記差に基づく、
Ｃ１に記載の方法。
［Ｃ９］前記第１の固定方向サブフレームが、前記ＴＤＤ  ＵＬ−ＤＬ構成にかかわらずアップリンクサブフレームであるように選択される、Ｃ８に記載の方法。
［Ｃ１０］サービングセルにおいて、サブフレーム中のネイバリングセルからの信号がダウンリンク（ＤＬ）基準信号（ＲＳ）を含むと決定すること、
をさらに備え、
前記第１または第２のサブフレームタイプを前記識別することが前記サブフレーム中の前記ＤＬ  ＲＳの存在に基づく、
Ｃ１に記載の方法。
［Ｃ１１］前記ＤＬ  ＲＳが存在するサブフレームは、前記サービングセルの対応するサブフレームがアップリンクサブフレームであるときに、前記第２のサブフレームタイプを有するものとして識別される、Ｃ１０に記載の方法。
［Ｃ１２］前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のダウンリンクアップリンク（ＤＬ−ＵＬ）干渉を有するサブフレームに対応する、Ｃ１に記載の方法。
［Ｃ１３］前記第１の電力制御パラメータが前記第２の電力制御パラメータとは異なる、Ｃ１に記載の方法。
［Ｃ１４］前記第２のサブフレームタイプが、前記第１のサブフレームタイプを有するものとして識別されない残りのサブフレームに対応する、Ｃ１３に記載の方法。
［Ｃ１５］前記第１の電力制御パラメータが前記第１のサブフレームタイプの各サブフレームに適用され、前記第２の電力制御パラメータが、前記第２のサブフレームタイプを有するサブフレームのサブセットに適用される、Ｃ１に記載の方法。
［Ｃ１６］フレーム内の前記第２の電力制御パラメータを動的に調整すること
をさらに備える、Ｃ１に記載の方法。
［Ｃ１７］前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のアップリンクダウンリンク（ＵＬ−ＤＬ）干渉を有するサブフレームに対応し、
前記第１の電力制御パラメータが、補償されていないＵＬ送信電力を備え、前記第２の電力制御パラメータが、ＵＬ開ループ電力制御パラメータに従った前記ＵＬ送信電力に対する調整を備える、
Ｃ１に記載の方法。
［Ｃ１８］前記ＵＬ開ループ電力制御パラメータがターゲット受信電力（ＰO）とセル固有補償係数（α）とを備える、Ｃ１７に記載の方法。
［Ｃ１９］前記ＵＬ開ループ電力制御パラメータが無線リソース制御（ＲＲＣ）シグナリングを介して前記サービングセルによって与えられる、Ｃ１７に記載の方法。
［Ｃ２０］前記ＵＬ開ループ電力制御パラメータが、前記第２のサブフレームタイプを有する２つまたはそれ以上のサブフレームのための別個のＰOパラメータとαパラメータとを備える、Ｃ１７に記載の方法。
［Ｃ２１］前記ＵＬ開ループ電力制御パラメータが前記第１の電力制御パラメータのＰOパラメータとαパラメータとに対するオフセットを備える、Ｃ１７に記載の方法。
［Ｃ２２］時分割複信（ＴＤＤ）通信システムにおけるワイヤレス通信のための装置であって、
第１の電力制御パラメータの適用に関連する第１のサブフレームタイプを識別するための手段と、
第２の電力制御パラメータの適用に関連する第２のサブフレームタイプを識別するための手段と、
前記第１または第２の電力制御パラメータに従って送信されるべき１つまたは複数のサブフレームを、前記それぞれの１つまたは複数のサブフレームの前記サブフレームタイプに基づいて識別するための手段と、
を備える、装置。
［Ｃ２３］前記第１のサブフレームタイプと前記第２のサブフレームタイプとを有する前記１つまたは複数のサブフレームの指示をユーザ機器に送信するための手段
をさらに備える、Ｃ２２に記載の装置。
［Ｃ２４］前記指示が無線リソース制御（ＲＲＣ）シグナリングを介してまたは物理レイヤ制御チャネルを介して送信される、Ｃ２３に記載の装置。
［Ｃ２５］前記指示が、前記１つまたは複数のサブフレームに関連するビットマップであり、前記１つまたは複数のサブフレームの各サブフレームが前記ビットマップの１つまたは複数のビットに関連する、Ｃ２３に記載の装置。
［Ｃ２６］前記ビットマップの前記１つまたは複数のビットの値が、前記第１のサブフレームタイプまたは前記第２のサブフレームタイプとして前記１つまたは複数のビットに関連する前記サブフレームを示す、Ｃ２５に記載の装置。
［Ｃ２７］無線リソース制御（ＲＲＣ）シグナリングを介してまたは物理レイヤ制御チャネルを介して前記ユーザ機器に前記第１または第２の電力制御パラメータのうちの１つまたは複数を送信するための手段をさらに備える、Ｃ２３に記載の装置。
［Ｃ２８］サービングセルとネイバリングセルとのＴＤＤアップリンクダウンリンク（ＵＬ−ＤＬ）構成を決定するための手段、
をさらに備え、
第１および第２のサブフレームタイプの前記識別が前記サービングセルと前記ネイバリングセルとの前記ＴＤＤ  ＵＬ−ＤＬ構成に基づく、
Ｃ２２に記載の装置。
［Ｃ２９］第１の固定方向サブフレームと第２のフレキシブル方向サブフレームとについての干渉対熱雑音（ＩｏＴ）を測定するための手段と、
前記第１の固定方向サブフレームと前記第２のフレキシブル方向サブフレームとの間のＩｏＴの差を決定するための手段と、
をさらに備え、
前記第１または第２のサブフレームタイプの前記決定がＩｏＴの前記差に基づく、
Ｃ２２に記載の装置。
［Ｃ３０］前記第１の固定方向サブフレームが、前記ＴＤＤ  ＵＬ−ＤＬ構成にかかわらずアップリンクサブフレームであるように選択される、Ｃ２９に記載の装置。
［Ｃ３１］サービングセルにおいて、サブフレーム中のネイバリングセルからの信号がダウンリンク（ＤＬ）基準信号（ＲＳ）を含むと決定するための手段、
をさらに備え、
前記第１または第２のサブフレームタイプの前記識別が前記サブフレーム中の前記ＤＬ  ＲＳの存在に基づく、
Ｃ２２に記載の装置。
［Ｃ３２］前記ＤＬ  ＲＳが存在するサブフレームは、前記サービングセルの対応するサブフレームがアップリンクサブフレームであるときに、前記第２のサブフレームタイプを有するものとして識別される、Ｃ３１に記載の装置。
［Ｃ３３］前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のダウンリンクアップリンク（ＤＬ−ＵＬ）干渉を有するサブフレームに対応する、Ｃ２２に記載の装置。
［Ｃ３４］前記第１の電力制御パラメータが前記第２の電力制御パラメータとは異なる、Ｃ２２に記載の装置。
［Ｃ３５］前記第２のサブフレームタイプが、前記第１のサブフレームタイプを有するものとして識別されない残りのサブフレームに対応する、Ｃ３４に記載の装置。
［Ｃ３６］前記第１の電力制御パラメータが前記第１のサブフレームタイプの各サブフレームに適用され、前記第２の電力制御パラメータが、前記第２のサブフレームタイプを有するサブフレームのサブセットに適用される、Ｃ２２に記載の装置。
［Ｃ３７］フレーム内の前記第２のアップリンク電力制御パラメータを動的に調整するための手段
をさらに備える、Ｃ２２に記載の装置。
［Ｃ３８］前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のアップリンクダウンリンク（ＵＬ−ＤＬ）干渉を有するサブフレームに対応し、
前記第１の電力制御パラメータが、補償されていないＵＬ送信電力を備え、前記第２の電力制御パラメータが、ＵＬ開ループ電力制御パラメータに従った前記ＵＬ送信電力に対する調整を備える、
Ｃ２２に記載の装置。
［Ｃ３９］前記ＵＬ開ループ電力制御パラメータがターゲット受信電力（ＰO）とセル固有補償係数（α）とを備える、Ｃ３８に記載の装置。
［Ｃ４０］前記ＵＬ開ループ電力制御パラメータが無線リソース制御（ＲＲＣ）シグナリングを介して前記サービングセルによって与えられる、Ｃ３８に記載の装置。
［Ｃ４１］前記ＵＬ開ループ電力制御パラメータが、前記第２のサブフレームタイプを有する２つまたはそれ以上のサブフレームのための別個のＰOパラメータとαパラメータとを備える、Ｃ３８に記載の装置。
［Ｃ４２］前記ＵＬ開ループ電力制御パラメータが前記第１の電力制御パラメータのＰOパラメータとαパラメータとに対するオフセットを備える、Ｃ３８に記載の装置。
［Ｃ４３］時分割複信（ＴＤＤ）ワイヤレス通信システムにおけるワイヤレス通信のための装置であって、前記装置は下記を備える、
プロセッサと、
前記プロセッサと電子通信しているメモリと、
前記メモリに記憶されている命令であって、
第１の電力制御パラメータの適用に関連する第１のサブフレームタイプを識別することと、
第２の電力制御パラメータの適用に関連する第２のサブフレームタイプを識別することと、
前記第１または第２の電力制御パラメータに従って送信されるべき１つまたは複数のサブフレームを、前記それぞれの１つまたは複数のサブフレームの前記サブフレームタイプに基づいて識別することと、
を行うために前記プロセッサによって実行可能である前記命令。
［Ｃ４４］前記命令が、
前記第１のサブフレームタイプと前記第２のサブフレームタイプとを有する前記１つまたは複数のサブフレームの指示をユーザ機器に送信すること
を行うために前記プロセッサによってさらに実行可能である、Ｃ４３に記載の装置。
［Ｃ４５］前記命令が、前記第１または第２の電力制御パラメータのうちの１つまたは複数を、無線リソース制御（ＲＲＣ）シグナリングを介してまたは物理レイヤ制御チャネルを介して前記ユーザ機器に送信するために前記プロセッサによってさらに実行可能である、Ｃ４４に記載の装置。
［Ｃ４６］前記命令が、
サービングセルとネイバリングセルとのＴＤＤアップリンクダウンリンク（ＵＬ−ＤＬ）構成を決定すること
を行うために前記プロセッサによってさらに実行可能であり、
第１および第２のサブフレームタイプの前記識別が前記サービングセルと前記ネイバリングセルとの前記ＴＤＤ  ＵＬ−ＤＬ構成に基づく、
Ｃ４３に記載の装置。
［Ｃ４７］前記命令が、
第１の固定方向サブフレームと第２のフレキシブル方向サブフレームとについての干渉対熱雑音（ＩｏＴ）を測定することと、
前記第１の固定方向サブフレームと前記第２のフレキシブル方向サブフレームとの間のＩｏＴの差を決定することと、
を行うために前記プロセッサによってさらに実行可能であり、
前記第１または第２のサブフレームタイプの前記決定がＩｏＴの前記差に基づく、
Ｃ４３に記載の装置。
［Ｃ４８］前記命令が、
サービングセルにおいて、サブフレーム中のネイバリングセルからの信号がダウンリンク（ＤＬ）基準信号（ＲＳ）を含むと決定すること、
を行うために前記プロセッサによってさらに実行可能であり、
前記第１または第２のサブフレームタイプの前記識別が前記サブフレーム中の前記ＤＬ  ＲＳの存在に基づく、
Ｃ４３に記載の装置。
［Ｃ４９］前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のダウンリンクアップリンク（ＤＬ−ＵＬ）干渉を有するサブフレームに対応する、Ｃ４３に記載の装置。
［Ｃ５０］前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のアップリンクダウンリンク（ＵＬ−ＤＬ）干渉を有するサブフレームに対応し、
前記第１の電力制御パラメータが、補償されていないＵＬ送信電力を備え、前記第２の電力制御パラメータが、ＵＬ開ループ電力制御パラメータに従った前記ＵＬ送信電力に対する調整を備える、
Ｃ４３に記載の装置。
［Ｃ５１］前記ＵＬ開ループ電力制御パラメータが無線リソース制御（ＲＲＣ）シグナリングを介して前記サービングセルによって与えられる、Ｃ５０に記載の装置。
［Ｃ５２］前記ＵＬ開ループ電力制御パラメータが、前記第２のサブフレームタイプを有する２つまたはそれ以上のサブフレームのための別個のＰOパラメータとαパラメータとを備える、Ｃ５０に記載の装置。
［Ｃ５３］時分割複信（ＴＤＤ）ワイヤレス通信システムにおけるワイヤレス通信のためのコンピュータプログラム製品であって、前記コンピュータプログラム製品が、
第１の電力制御パラメータの適用に関連する第１のサブフレームタイプを識別することと、
第２の電力制御パラメータの適用に関連する第２のサブフレームタイプを識別することと、
前記第１または第２の電力制御パラメータに従って送信されるべき１つまたは複数のサブフレームを、前記それぞれの１つまたは複数のサブフレームの前記サブフレームタイプに基づいて識別することと、
を行うためにプロセッサによって実行可能な命令を記憶する非一時的コンピュータ可読媒体を備える、コンピュータプログラム製品。
［Ｃ５４］前記命令が、
前記第１のサブフレームタイプと前記第２のサブフレームタイプとを有する前記１つまたは複数のサブフレームの指示をユーザ機器に送信すること
を行うために前記プロセッサによってさらに実行可能である、Ｃ５３に記載のコンピュータプログラム製品。
［Ｃ５５］前記命令が、
第１の固定方向サブフレームと第２のフレキシブル方向サブフレームとについての干渉対熱雑音（ＩｏＴ）を測定することと、
前記第１の固定方向サブフレームと前記第２のフレキシブル方向サブフレームとの間のＩｏＴの差を決定することと、
を行うために前記プロセッサによってさらに実行可能であり、
前記第１または第２のサブフレームタイプの前記決定がＩｏＴの前記差に基づく、
Ｃ５３に記載のコンピュータプログラム製品。
［Ｃ５６］前記命令が、
サービングセルにおいて、サブフレーム中のネイバリングセルからの信号がダウンリンク（ＤＬ）基準信号（ＲＳ）を含むと決定すること
を行うために前記プロセッサによってさらに実行可能であり、
前記第１または第２のサブフレームタイプの前記識別が前記サブフレーム中の前記ＤＬ  ＲＳの存在に基づく、
Ｃ５３に記載のコンピュータプログラム製品。
［Ｃ５７］時分割複信（ＴＤＤ）通信システムにおけるワイヤレス通信の方法であって、
ＴＤＤアップリンクダウンリンク（ＵＬ−ＤＬ）構成に関連する第１および第２のサブフレームタイプの識別を受信することと、
前記第１のサブフレームタイプを有するものとして識別された１つまたは複数のサブフレームに第１の電力制御パラメータを適用することと、
前記第２のサブフレームタイプを有するものとして識別された１つまたは複数のサブフレームに第２の電力制御パラメータを適用することと、
前記１つまたは複数のサブフレームをサービング基地局に送信することと、
を備える、方法。
［Ｃ５８］前記識別を受信することが、無線リソース制御シグナリングにおいてフレキシブルサブフレームの半静的な識別を受信することを備える、Ｃ５７に記載の方法。
［Ｃ５９］前記識別を受信することが、物理レイヤ制御チャネルを介したシグナリングにおいてフレキシブルサブフレームの動的な識別を受信することを備える、Ｃ５７に記載の方法。
［Ｃ６０］前記シグナリングが、物理ダウンリンク制御チャネル（ＰＤＣＣＨ）上で受信されたダウンリンク制御情報（ＤＣＩ）を備える、Ｃ５９に記載の方法。
［Ｃ６１］前記第１の電力制御パラメータが、補償されていないＵＬ送信電力を備え、前記第２の電力制御パラメータが、ＵＬ開ループ電力制御パラメータに従った前記ＵＬ送信電力に対する調整を備える、Ｃ５９に記載の方法。
［Ｃ６２］前記ＵＬ開ループ電力制御パラメータがターゲット受信電力（ＰO）とセル固有補償係数（α）とを備える、Ｃ６１に記載の方法。
［Ｃ６３］前記ＵＬ開ループ電力制御パラメータが、前記第２のサブフレームタイプを有する２つまたはそれ以上のサブフレームのための別個のＰOパラメータとαパラメータとを備える、Ｃ６２に記載の方法。
［Ｃ６４］時分割複信（ＴＤＤ）通信システムにおけるワイヤレス通信のための装置であって、
ＴＤＤアップリンクダウンリンク（ＵＬ−ＤＬ）構成に関連する第１および第２のサブフレームタイプの識別を受信するための手段と、
前記第１のサブフレームタイプを有するものとして識別された１つまたは複数のサブフレームに第１の電力制御パラメータを適用するための手段と、
前記第２のサブフレームタイプを有するものとして識別された１つまたは複数のサブフレームに第２の電力制御パラメータを適用するための手段と、
前記１つまたは複数のサブフレームをサービング基地局に送信ための手段と、
を備える、装置。
［Ｃ６５］前記識別を受信するための前記手段が、無線リソース制御シグナリングにおいてフレキシブルサブフレームの半静的な識別を受信するように構成された、Ｃ６４に記載の装置。
［Ｃ６６］前記識別を受信するための前記手段が、物理レイヤ制御チャネルを介したシグナリングにおいてフレキシブルサブフレームの動的な識別を受信するように構成された、Ｃ６４に記載の装置。
［Ｃ６７］前記シグナリングが、物理ダウンリンク制御チャネル（ＰＤＣＣＨ）上で受信されたダウンリンク制御情報（ＤＣＩ）を備える、Ｃ６６に記載の装置。
［Ｃ６８］前記第１の電力制御パラメータが、補償されていないＵＬ送信電力を備え、前記第２の電力制御パラメータが、ＵＬ開ループ電力制御パラメータに従った前記ＵＬ送信電力に対する調整を備える、Ｃ６６に記載の装置。
［Ｃ６９］時分割複信（ＴＤＤ）ワイヤレス通信システムにおけるワイヤレス通信のための装置であって、前記装置は下記を備える、
プロセッサと、
前記プロセッサと電子通信しているメモリと、
前記メモリに記憶されている命令であって、
ＴＤＤアップリンクダウンリンク（ＵＬ−ＤＬ）構成に関連する第１および第２のサブフレームタイプの識別を受信することと、
前記第１のサブフレームタイプを有するものとして識別された１つまたは複数のサブフレームに第１の電力制御パラメータを適用することと、
前記第２のサブフレームタイプを有するものとして識別された１つまたは複数のサブフレームに第２の電力制御パラメータを適用することと、
前記１つまたは複数のサブフレームをサービング基地局に送信することと
を行うために前記プロセッサによって実行可能である前記命令。
［Ｃ７０］前記識別が、無線リソース制御シグナリングにおけるフレキシブルサブフレームの半静的な識別である、Ｃ６９に記載の装置。
［Ｃ７１］前記識別が、物理レイヤ制御チャネルを介したシグナリングにおいて受信されたフレキシブルサブフレームの動的な識別である、Ｃ６９に記載の装置。
［Ｃ７２］前記シグナリングが、物理ダウンリンク制御チャネル（ＰＤＣＣＨ）上で受信されたダウンリンク制御情報（ＤＣＩ）を備える、Ｃ７１に記載の装置。
［Ｃ７３］時分割複信（ＴＤＤ）ワイヤレス通信システムにおけるワイヤレス通信のためのコンピュータプログラム製品であって、前記コンピュータプログラム製品が、
ＴＤＤアップリンクダウンリンク（ＵＬ−ＤＬ）構成に関連する第１および第２のサブフレームタイプの識別を受信することと、
前記第１のサブフレームタイプを有するものとして識別された１つまたは複数のサブフレームに第１の電力制御パラメータを適用することと、
前記第２のサブフレームタイプを有するものとして識別された１つまたは複数のサブフレームに第２の電力制御パラメータを適用することと、
前記１つまたは複数のサブフレームをサービング基地局に送信することと、
を行うためにプロセッサによって実行可能な命令を記憶する非一時的コンピュータ可読媒体を備える、コンピュータプログラム製品。
［Ｃ７４］前記識別が、無線リソース制御シグナリングにおけるフレキシブルサブフレームの半静的な識別である、Ｃ７３に記載のコンピュータプログラム製品。
［Ｃ７５］前記識別が、物理レイヤ制御チャネルを介したシグナリングにおいて受信されたフレキシブルサブフレームの動的な識別である、Ｃ７３に記載のコンピュータプログラム製品。
［Ｃ７６］前記シグナリングが、物理ダウンリンク制御チャネル（ＰＤＣＣＨ）上で受信されたダウンリンク制御情報（ＤＣＩ）を備える、Ｃ７５に記載のコンピュータプログラム製品。
【図１】
0006599311.tif 000004
【図２】
0006599311.tif 000005
【図３】
0006599311.tif 000006
【図４】
0006599311.tif 000007
【図５Ａ】
0006599311.tif 000008
【図５Ｂ】
0006599311.tif 000009
【図５Ｃ】
0006599311.tif 000010
【図６】
0006599311.tif 000011
【図７】
0006599311.tif 000012
【図８】
0006599311.tif 000013
【図９】
0006599311.tif 000014
【図１０】
0006599311.tif 000015
【図１１】
0006599311.tif 000016
【図１２】
0006599311.tif 000017
【図１３】
0006599311.tif 000018